(57)【要約】      （修正有）【課題】タービンシステムのタービン翼形部のための取付け装置を提供する。【解決手段】取付け装置は、タービンシステムの第１の翼形部（４２Ａ）と第２の翼形部（４２Ｂ）との間に少なくとも部分的に配置されるように構成された本体部分と、本体部分の第１の側面に形成された調整可能な第１の保持部品とを含むことができる。調整可能な第１の保持部品は、タービンシステムの第１の翼形部の負圧側面（４６）の一部と接触するように構成され得る。取付け装置はまた、本体部分の第１の側面に対向する第２の側面に形成された第２の保持部品を含むことができる。第２の保持部品は、タービンシステムの第２の翼形部の正圧側面（４４）の一部に接触するように構成され得る。【選択図】図５
2018184952.tif 000002
【特許請求の範囲】
【請求項１】
タービンシステム（１０）の第１の翼形部（４２Ａ）と第２の翼形部（４２Ｂ）との間に少なくとも部分的に配置されるように構成された本体部分（１０２，２０２）と、
前記本体部分（１０２，２０２）の第１の側面（１０４，２０４）に形成され、前記タービンシステム（１０）の前記第１の翼形部（４２Ａ）の負圧側面（４６）の一部と接触するように構成された調整可能な第１の保持部品（１０８，２０８）と、
前記本体部分（１０２，２０２）の前記第１の側面（１０４，２０４）に対向する第２の側面（１０６，２０６）に形成され、前記タービンシステム（１０）の前記第２の翼形部（４２Ｂ）の正圧側面（４４）の一部と接触するように構成された第２の保持部品（１２０，２２０）と、
を備える、取付け装置（１００，２００）。
【請求項２】
前記調整可能な第１の保持部品（１０８）が、前記本体部分（１０２）の前記第１の側面（１０４）に配置された第１の膨張可能なパウチ（１１０）を含み、前記第１の膨張可能なパウチ（１１０）は、
前記第１の膨張可能なパウチ（１１０）の膨張状態で前記第１の翼形部（４２Ａ）の前記負圧側面（４６）の前記部分に接触し、実質的に輪郭を形成し、
前記第１の膨張可能なパウチ（１１０）の収縮状態で前記本体部分（１０２）の前記第１の側面（１０４）と接触し、実質的に平坦に向けられる
ように構成される、請求項１に記載の取付け装置（１００）。
【請求項３】
前記第１の膨張可能なパウチ（１１０）上に配置され、前記第１の膨張可能なパウチ（１１０）の前記膨張状態で前記第１の翼形部（４２Ａ）の前記負圧側面（４６）に直接接触する少なくとも１つの把持パッド（１１２）
をさらに備える、請求項２に記載の取付け装置（１００）。
【請求項４】
前記少なくとも１つのパッド（１１２）が、前記タービンシステム（１０）の前記第２の翼形部（４２Ｂ）の前記正圧側面（４４）の前記部分と実質的に同様の形状（１２６）を有する、請求項３に記載の取付け装置（１００）。
【請求項５】
前記第１の膨張可能なパウチ（１１０）内に配置され、前記タービンシステム（１０）の前記第１の翼形部（４２Ａ）の前記負圧側面（４６）の前記部分と実質的に同様の形状（１３０）を有するインサート（１２８）
をさらに備える、請求項２に記載の取付け装置（１００）。
【請求項６】
前記第２の保持部品（１２０）が、前記本体部分（１０２）の前記第２の側面（１０６）と一体に形成された湾曲部分（１２２）を含み、前記湾曲部分（１２２）は、前記第１の膨張可能なパウチ（１１０）の前記膨張状態および前記収縮状態で前記タービンシステム（１０）の前記第２の翼形部（４２Ｂ）の前記正圧側面（４４）の前記部分に接触するように構成される、請求項２に記載の取付け装置（１００）。
【請求項７】
前記湾曲部分（１２２）が、前記タービンシステム（１０）の前記第２の翼形部（４２Ｂ）の前記正圧側面（４４）の前記部分と実質的に同様の形状（１２６）を有する、請求項６に記載の取付け装置（１００）。
【請求項８】
前記第２の保持部品（１２０）が、前記本体部分（１０２）の前記第２の側面（１０６）に配置された可撓性部品（１３４）を含み、前記可撓性部品（１３４）は、前記第１の膨張可能なパウチ（１１０）の前記膨張状態および前記収縮状態で前記タービンシステム（１０）の前記第２の翼形部（４２Ｂ）の前記正圧側面（４４）の前記部分に接触し、実質的に輪郭を形成するように構成される、請求項２に記載の取付け装置（１００）。
【請求項９】
前記第２の保持部品（１２０）が、前記本体部分（１０２）の前記第２の側面（１０６）に配置された第２の膨張可能なパウチ（１３８）を含み、前記第２の膨張可能なパウチ（１３８）は、
前記第２の膨張可能なパウチ（１３８）の膨張状態で前記第２の翼形部（４２Ｂ）の前記正圧側面（４４）の前記部分に接触し、実質的に輪郭を形成し、
前記第２の膨張可能なパウチ（１３８）の収縮状態で前記本体部分（１０２）の前記第２の側面（１０６）と接触し、実質的に平坦に向けられる
ように構成される、請求項２に記載の取付け装置（１００）。
【請求項１０】
前記本体部分（２０２）が、
ヒンジ（２４２）を含む第１のリンケージ（２４０）であって、前記第１のリンケージ（２４０）の前記ヒンジ（２４２）は、前記第１のリンケージ（２４０）の拡張状態で前記タービンシステム（１０）の前記第１の翼形部（４２Ａ）の前記負圧側面（４６）に向かって移動するように構成される、第１のリンケージ（２４０）と、
前記第１のヒンジ式リンケージ（２４０）に対向して配置され、ヒンジ（２４２）を含む第２のリンケージ（２４４）と、
を含み、
前記第２のリンケージ（２４４）の前記ヒンジ（２４２）は、前記第２のリンケージ（２４４）の拡張状態で前記タービンシステム（１０）の前記第２の翼形部（４２Ｂ）の前記正圧側面（４４）に向かって移動するように構成される、
請求項１に記載の取付け装置（２００）。
【請求項１１】
前記調整可能な第１の保持部品（２０８）が、前記第１のリンケージ（２４０）の前記ヒンジ（２４２）に隣接して配置され、前記第１のリンケージ（２４０）の前記ヒンジ（２４２）から延在する第１のピン（２５８）を含み、前記第１のピン（２５８）は、前記第１のリンケージ（２４０）の前記ヒンジ（２４２）の周りで少なくとも部分的に枢動するように構成される、請求項１０に記載の取付け装置（２００）。
【請求項１２】
前記第１のピン（２５８）が、前記第１のリンケージ（２４０）の前記ヒンジ（２４２）に取り外し可能に連結され、前記第１のリンケージ（２４０）の前記拡張状態で前記第１の翼形部（４２Ａ）の前記正圧側面（４４）に接触するように構成される、請求項１１に記載の取付け装置（２００）。
【請求項１３】
前記第２の保持部品（２２０）が、前記第２のリンケージ（２４４）の前記ヒンジ（２４２）に隣接して配置され、前記第２のリンケージ（２４４）の前記ヒンジ（２４２）から延在する第２のピン（２６０）を含み、前記第２のピン（２６０）は、前記第２のリンケージ（２４４）の前記ヒンジ（２４２）の周りで少なくとも部分的に枢動するように構成される、請求項１１に記載の取付け装置（２００）。
【請求項１４】
前記第２のピン（２６０）が、前記第２のリンケージ（２４４）の前記ヒンジ（２４２）に取り外し可能に連結され、前記第２のリンケージ（２４４）の前記拡張状態で前記第２の翼形部（４２Ｂ）の前記正圧側面（４４）に接触するように構成される、請求項１３に記載の取付け装置（２００）。
【請求項１５】
前記調整可能な第１の保持部品（２０８）が、前記第１のリンケージ（２４０）の前記ヒンジ（２４２）に連結され、前記第１のリンケージ（２４０）の前記ヒンジ（２４２）から延在する第１の柔軟な部品（２６４）を含み、前記第１の柔軟な部品（２６４）は、前記第１のリンケージ（２４０）の前記拡張状態で前記タービンシステム（１０）の前記第１の翼形部（４２Ａ）の前記負圧側面（４６）の前記部分に接触し、実質的に輪郭を形成するように構成され、
前記第２の保持部品（２２０）が、前記第２のリンケージ（２４４）の前記ヒンジ（２４２）に連結され、前記第２のリンケージ（２４４）の前記ヒンジ（２４２）から延在する第２の柔軟な部品（２６６）を含み、前記第２の柔軟な部品（２６６）は、前記第２のリンケージ（２４４）の前記拡張状態で前記タービンシステム（１０）の前記第２の翼形部（４２Ｂ）の前記正圧側面（４４）の前記部分に接触し、実質的に輪郭を形成するように構成される、
請求項１０に記載の取付け装置（２００）。
【発明の詳細な説明】
【技術分野】
【０００１】
本開示は、一般に取付け装置に関し、より詳細には、タービンシステムのタービン翼形部の取付け装置に関する。
【背景技術】
【０００２】
ガスタービンシステムなどの従来のターボ機械は、発電機のための動力を生成するために利用される。一般に、ガスタービンシステムは、ガスタービンシステムの圧縮機およびタービン部品に流体（例えば、高温ガス）を通すことによって動力を生成する。より具体的には、吸入空気を圧縮機に吸入し、圧縮することができる。一旦圧縮されると、吸入空気は燃料と混合されて燃焼生成物を形成し、燃焼生成物はガスタービンシステムの燃焼器によって点火されてガスタービンシステムの作動流体（例えば高温ガス）を形成することができる。次に、流体は、動力を生成するために、タービン部品の複数の回転ブレードおよびロータまたはシャフトを回転させるために、流体流路を通って流れることができる。複数の回転ブレードと、回転ブレードの間に配置された複数の固定ノズルまたはベーンとを介して、タービン部品を通して流体を導くことができる。複数の回転ブレードがガスタービンシステムのロータを回転させると、ロータに連結された発電機がロータの回転から動力を生成することができる。
【０００３】
従来のガスタービンシステムの各部品が所望の効率レベルで動作すること、および／または所望の動力量を生成することを確実にするために、システムおよびその部品は検査されおよび／または検査プロセスを受けることが多い。一例では、従来のガスタービンシステムの動作では、特定の部品が整列したままであり、および／または所定のクリアランスを維持することが重要である。特に、一例では、タービン部品内で回転するタービンブレードが、タービンブレードを囲むシェルまたはケーシングと所定のクリアランスを維持することが重要である。従来の検査プロセスは、連結部品を介してタービン部品の１つまたは複数のタービンブレードに連結され得る検査装置を利用する。検査装置が連結部品を使用して１つまたは複数のタービンブレードに連結されると、検査装置と共にタービンブレードが回転されて、タービンブレードとシェルとの間のクリアランスが測定される。しかし、これらの連結部品は、大きく、および／または煩雑であることが多く、このことは、タービン部品を介して連結部品を操作することを困難または不可能にし、特に、タービンブレードを挿入またはアクセスするための空間が制限されている場合には特に当てはまる。さらに、サイズおよび構成のために、従来の連結部品は、検査プロセス中に検査装置を１つまたは複数のタービンブレードに適切に連結することができない。このため、検査プロセス中に検査装置の位置が変化することがあり（例えば、連結部品の滑り）、タービンブレードとタービン部品のシェルまたはケーシングとの間のクリアランスの不正確な測定が生じる。これは、最終的に、ガスタービンシステムのオペレータが、タービンブレードとタービン部品のシェルとの間の不整合および／または望ましくないクリアランスによって引き起こされる動作非効率および／または発電量の低下を修正する能力に影響を及ぼす。
【先行技術文献】
【特許文献】
【０００４】
【特許文献１】米国特許第９３２５３８８号明細書
【発明の概要】
【０００５】
本開示の第１の態様は、タービンシステムの第１の翼形部と第２の翼形部との間に少なくとも部分的に配置されるように構成された本体部分と、本体部分の第１の側面に形成され、タービンシステムの第１の翼形部の負圧側面の一部と接触するように構成された調整可能な第１の保持部品と、本体部分の第１の側面に対向する第２の側面に形成され、タービンシステムの第２の翼形部の正圧側面の一部と接触するように構成された第２の保持部品と、を含む取付け装置を提供する。
【０００６】
本開示の第２の態様は、正圧側面および負圧側面を含む第１の翼形部と、第１の翼形部に隣接して配置され、正圧側面および負圧側面を含む第２の翼形部と、第１の翼形部および第２の翼形部に取り外し可能に連結された取付け装置と、を含むタービンシステムを提供し、この取付け装置は、第１の翼形部と第２の翼形部との間に少なくとも部分的に配置されるように構成された本体部分と、本体部分の第１の側面に形成され、第１の翼形部の負圧側面の一部と接触するように構成された調整可能な第１の保持部品と、本体部分の第１の側面に対向する第２の側面に形成され、第２の翼形部の正圧側面の一部と接触するように構成された第２の保持部品と、を含む。
【０００７】
本開示の例示的な態様は、本明細書で説明される問題および／または検討されていない他の問題を解決するように設計される。
【０００８】
本開示のこれらのおよび他の特徴は、本開示の様々な実施形態を示す添付の図面と併せて、本開示の様々な態様の以下の詳細な説明から、より容易に理解されよう。
【図面の簡単な説明】
【０００９】
【図１】実施形態によるガスタービンシステムの概略図である。
【図２】実施形態によるタービンブレード、ステータベーン、およびロータを含むガスタービンシステムのタービンの一部の斜視図である。
【図３】実施形態による、収縮状態にある膨張可能なパウチを含む取付け装置の斜視図である。
【図４】実施形態による、膨張状態にある図３の取付け装置の斜視図である。
【図５】実施形態による、ガスタービンシステムのタービンの翼形部に取り外し可能に連結された図３の取付け装置の斜視図である。
【図６】追加の実施形態による、膨張可能なパウチおよび予め形成された把持パッドを含む取付け装置の側面図である。
【図７】さらなる実施形態による、膨張可能なパウチおよび予め形成されたインサートを含む取付け装置の上面図である。
【図８】実施形態による、収縮状態の線ＣＳ−ＣＳに沿った図７の取付け装置の側面断面図である。
【図９】実施形態による、膨張状態の線ＣＳ−ＣＳに沿った図７の取付け装置の側面断面図である。
【図１０】別の実施形態による、膨張可能なパウチおよび可撓性部品を含む取付け装置の側面図である。
【図１１】別の実施形態による、変位した可撓性部品を含む図１０の取付け装置の側面図である。
【図１２】実施形態による、第１および第２の膨張可能なパウチを含む取付け装置の側面図である。
【図１３】実施形態による、拡張状態のヒンジ式リンケージおよびピンを含む取付け装置の側面図である。
【図１４】実施形態による、折り畳まれた状態の図１３の取付け装置の側面図である。
【図１５】実施形態による、ガスタービンシステムのタービンの翼形部に取り外し可能に連結された図１３の取付け装置の斜視図である。
【図１６】実施形態による、折り畳まれた状態のヒンジ式リンケージおよび柔軟な部品を含む取付け装置の側面図である。
【図１７】実施形態による、拡張状態の図１６の取付け装置の側面図である。
【図１８】実施形態による、ヒンジ式リンケージ、ピン、および剛性支持体を含む取付け装置の側面図である。
【図１９】実施形態による、固定保持部品および枢動保持部品を含む取付け装置の斜視図である。
【図２０】実施形態による、タービンブレードに取り外し可能に連結された図１９の取付け装置の斜視図である。
【図２１】実施形態による、固定保持部品と、タービンブレードに取り外し可能に連結された調整可能な保持部品とを含む取付け装置の斜視図である。
【図２２】追加の実施形態による、固定保持部品と、タービンブレードに取り外し可能に連結された調整可能な保持部品とを含む取付け装置の斜視図である。
【図２３】さらなる実施形態による、固定保持部品と、タービンブレードに取り外し可能に連結された調整可能な保持部品とを含む取付け装置の斜視図である。
【図２４】別の実施形態による、固定保持部品と調整可能な保持部品とを含む取付け装置の斜視図である。
【図２５】実施形態による、タービンブレードに取り外し可能に連結された図２４の取付け装置の斜視図である。
【図２６】さらなる実施形態による、２つの異なるタービンブレードに取り外し可能に連結された調整可能な保持部品を含む取付け装置の斜視図である。
【図２７】実施形態による多関節取付け装置の上面図である。
【図２８】実施形態による、図２７の多関節取付け装置の側面図である。
【図２９】実施形態による、タービンブレードに取り外し可能に連結された図２７の多関節取付け装置の斜視図である。
【発明を実施するための形態】
【００１０】
本開示の図面は、原寸に比例して示されていないことに留意されたい。図面は、本開示の典型的な態様だけを示すことを目的としており、したがって、本開示の範囲を限定するものとみなすべきではない。図面において、図面間で類似する番号は類似する要素を示している。
【００１１】
最初の問題として、本開示を明確に説明するために、本開示の範囲内の関連する機械部品を参照して説明するときに、特定の専門用語を選択することが必要になる。これを行う場合、可能な限り、一般的な工業専門用語が、その受け入れられた意味と同じ意味で使用および利用される。別途記載のない限り、このような専門用語は、本出願の文脈および添付の特許請求の範囲と一致する広義の解釈を与えられるべきである。当業者であれば、多くの場合、特定の構成要素がいくつかの異なるまたは重複する用語を使用して参照されることがあることを理解するであろう。単一の部品であるとして本明細書に記載され得るものは、複数の構成要素からなるものとして別の文脈を含み、かつ別の文脈で参照されてもよい。あるいは、複数の構成要素を含むものとして本明細書に記載され得るものは、単一の部品として他の場所で参照されてもよい。
【００１２】
さらに、本明細書ではいくつかの記述上の用語を定常的に使用する場合があり、この点についてこれらの用語を定義することが有用であることが証明されるはずである。これらの用語およびその定義は、別途記載のない限り、以下の通りである。本明細書で使用する場合、「下流」および「上流」とは、タービンエンジンを通る作動流体または、例えば、燃焼器を通る空気の流れ、またはタービンの部品システムの１つを通る冷却剤のような流体の流れに対する方向を示す用語である。「下流」という用語は、流体の流れの方向に相当し、「上流」という用語は、流れの反対の方向を指す。「前方」および「後方」という用語は、別途指定のない限り、方向を指し、「前方」はエンジンの前方または圧縮機端部を指し、「後方」はエンジンの後方またはタービン端部を指す。さらに、「先導する」および「後続する」という用語は、それぞれ、「前方」および「後方」という用語と同様の記述で使用され、および／または理解され得る。多くの場合、異なる半径方向、軸方向および／または円周方向の位置にある部品を記述することが要求される。「Ａ」軸線は、軸方向を表す。本明細書で使用する場合、「軸方向の」および／または「軸方向に」という用語は、タービンシステム（特に、ロータセクション）の回転軸と実質的に平行な軸線Ａに沿った物体の相対的な位置／方向を指す。さらに本明細書で使用する場合、「半径方向の」および／または「半径方向に」という用語は、軸線Ａと実質的に垂直でありかつただ１つの位置において軸線Ａと交差する軸線「Ｒ」（例えば、図１）に沿った物体の相対的な位置／方向を指す。最後に、「円周方向の」という用語は、軸線Ａ（例えば、軸線「Ｃ」）周りの移動または位置を指す。
【００１３】
以下の開示は、一般に取付け装置に関し、より詳細には、タービンシステムのタービン翼形部の取付け装置に関する。
【００１４】
これらおよび他の実施形態は、図１〜図２９を参照して以下に説明される。しかし、当業者であれば、これらの図に関して本明細書に与えられた詳細な説明は例示のためのものであり、限定するものとして解釈すべきではないことを容易に理解するであろう。
【００１５】
図１は、例示的なガスタービンシステム１０の概略図を示している。ガスタービンシステム１０は、圧縮機１２を含むことができる。圧縮機１２は、流入する空気１８の流れを圧縮する。圧縮機１２は、圧縮された空気２０の流れを燃焼器２２に送る。燃焼器２２は、圧縮された空気２０の流れを加圧された燃料２４の流れと混合し、この混合物に点火して、燃焼ガス２６の流れを生成する。単一の燃焼器２２のみが示されているが、ガスタービンシステム１０は、任意の数の燃焼器２２を含むことができる。次いで、燃焼ガス２６の流れは、典型的には翼形部（図２参照）およびステータベーンを含む複数のタービンブレードを含むタービン２８に送られる。燃焼ガス２６の流れは、タービン２８を駆動して機械的仕事を発生させる。タービン２８で発生された機械的仕事は、タービン２８を通って延びるロータ３０を介して圧縮機１２を駆動し、発電機などの外部負荷３２を駆動するために使用することができる。
【００１６】
ガスタービンシステム１０はまた、排気フレーム３４を含むことができる。図１に示すように、排気フレーム３４を、ガスタービンシステム１０のタービン２８に隣接して配置することができる。より具体的には、排気フレーム３４を、タービン２８に隣接して配置することができ、タービン２８の、および／または燃焼器２２からタービン２８に流れる燃焼ガス２６の流れの実質的に下流に配置することができる。本明細書で説明するように、排気フレーム３４の一部（例えば、外側ケーシング）を、タービン２８のエンクロージャまたはシェル３６に直接連結することができる。
【００１７】
燃焼ガス２６が流れてタービン２８を駆動した後、燃焼ガス２６は、排気フレーム３４を通って流れ方向（Ｄ）に排気、流入および／または排出され得る。図１に示す非限定的な例では、燃焼ガス２６は、流れ方向（Ｄ）に排気フレーム３４を通って流れ、ガスタービンシステム１０から（例えば、大気に）排出され得る。ガスタービンシステム１０が複合サイクル発電プラント（例えば、ガスタービンシステムおよび蒸気タービンシステムを含む）の一部である別の非限定的な例では、燃焼ガス２６は排気フレーム３４から排出され、流れ方向（Ｄ）で複合サイクル発電プラントの排熱回収ボイラに流入してもよい。
【００１８】
図２、および引き続き図１を参照すると、ガスタービンシステム１０の一部が示されている。具体的には、図２は、タービンブレード３８の第１段と、タービン２８のシェル３６に連結されたステータベーン４０の第１段とを含むガスタービンシステム１０の一部を示している。本明細書で説明するように、ロータ３０は、ロータ３０の周りに円周方向に連結されて配置され、燃焼ガス２６によって駆動されてロータ３０を回転させることができる複数のタービンブレード３８を含むことができる。タービン２８の各タービンブレード３８は、ロータ３０から半径方向に延び、タービン２８を通って流れる燃焼ガス２６の流路内に配置された翼形部４２を含むことができる。翼形部４２はまた、タービン２８のステータベーン４０に軸方向に隣接して配置されてもよい。図２に示す非限定的な例では、明瞭化のために、タービン２８の第１段のすべてのタービンブレード３８、ステータベーン４０および／またはロータ３０のすべてが示されているわけではない。さらに、タービンブレード３８の第１段およびタービン２８のステータベーン４０の一部のみが図２に示されているが、タービン２８は、タービン２８のシェル３６を通って軸方向に配置された複数段のタービンブレードおよびステータベーンを含むことができる。
【００１９】
タービンブレード３８の各翼形部４２は、それぞれ、正圧側面４４および負圧側面４６を含むことができる。具体的には、第１の翼形部４２Ａおよび第２の翼形部４２Ｂは、それぞれ、正圧側面４４と、正圧側面４４とは反対側に位置する負圧側面４６とを含むことができる。さらに、各翼形部４２は、正圧側面４４と負圧側面４６との間に配置された前縁４８および後縁５０を含むことができる。すなわち、前縁４８、および前縁４８とは反対側に位置する後縁５０は別々に、タービン２８の各翼形部４２について正圧側面４４と負圧側面４６と間に配置され、および／または正圧側面４４と負圧側面４６とを画定することができる。図２に示すように、第１の翼形部４２Ａの負圧側面４６は、第２の翼形部４２Ｂの正圧側面４４に隣接して円周方向に配置され得る。第１の翼形部４２Ａと第２の翼形部４２Ｂとの間に、より具体的には、第１の翼形部４２Ａの負圧側面４６と第２の翼形部４２Ｂの正圧側面４４との間に間隙または空間５２（以下、「空間５２」）が形成され得る。本明細書で説明されるいくつかの非限定的な例では、取付け装置は、空間５２内および／またはタービン２８（図１参照）の第１の翼形部４２Ａと第２の翼形部４２Ｂとの間に配置され得る。
【００２０】
図３および図４は、タービン２８の翼形部４２と連結されるように構成された取付け装置１００の斜視図を示している。取付け装置１００は、本体部分１０２を含む。本体部分１０２は、本明細書で説明する取付け装置１００および／またはその様々な機構もしくは部品を支持することができる取付け装置１００の実質的に剛性の構造または部分であり得る。図３および図４に示すように、本体部分１０２は、第１の側面１０４と、第１の側面１０４に対向して配置された第２の側面１０６とを含むことができる。取付け装置１００の本体部分１０２は、取付け装置１００の様々な機構を支持することができ、および／または取付け装置１００をタービン２８の翼形部４２に連結するのを助けることができる任意の適切な材料から形成され得る。例えば、本体部分１０２は、限定はしないが、金属、金属合金、プラスチック、セラミック、木材などを含む任意の材料から形成され得る。本明細書で説明するように、本体部分１０２は、取付け装置１００が第１の翼形部４２Ａおよび第２の翼形部４２Ｂに取り外し可能に連結されるとき、本体部分１０２および／または取付け装置１００が第１の翼形部４２Ａと第２の翼形部４２Ｂとの間に少なくとも部分的に配置され得るような大きさにされることができる。
【００２１】
取付け装置１００は、本体部分１０２の第１の側面１０４に形成された調整可能な第１の保持部品１０８を含むことができる。具体的には、取付け装置１００は、本体部分１０２の第１の側面１０４上に形成され、配置され、および／またはそこから延びる構成可能な、適合可能な、および／または調整可能な第１の保持部品１０８を含むことができる。本明細書で説明するように、調整可能な第１の保持部品１０８は、取付け装置１００をタービン２８の翼形部４２に取り外し可能に連結するとき、第１の翼形部４２Ａの負圧側面４６の少なくとも一部と接触するように構成され得る様々な機構もしくは部品として構成され、および／またはそれらを含むことができる（図２および図５参照）。
【００２２】
図３および図４に示す非限定的な例では、調整可能な第１の保持部品１０８は、第１の膨張可能なベローまたはパウチ１１０（以下、「第１の膨張可能なパウチ１１０」）を含むことができる。第１の膨張可能なパウチ１１０は、本体部分１０２の第１の側面１０４上に配置および／または形成され得る。第１の膨張可能なパウチ１１０は、本明細書で説明するように、膨張および収縮して、タービン２８の翼形部４２への取付け装置１００の取り外し可能な連結を助けるように構成され得る。具体的には、図３は、収縮状態にある第１の膨張可能なパウチ１１０を示し、図４は、膨張状態にある第１の膨張可能なパウチ１１０を示している。図３に示すように、第１の膨張可能なパウチ１１０が収縮状態にあるとき、第１の膨張可能なパウチ１１０は、本体部分１０２の第１の側面１０４と接触し、および／または実質的に平坦に向けられてもよい。すなわち、第１の膨張可能なパウチ１１０は、収縮状態で本体部分１０２の第１の側面１０４の上に実質的に延びていなくてもよく、取付け装置１００の厚さ（Ｔ）は本体部分１０２の厚さと実質的に同じであってもよい。膨張状態では、図４に示すように、第１の膨張可能なパウチ１１０は、本体部分１０２の第１の側面１０４から膨張し、成長し、および／または延在することができる。膨張状態では、取付け装置１００の厚さ（Ｔ）を、本体部分１０２の合計厚さと、第１の膨張可能なパウチ１１０が本体部分１０２の第１の側面１０４の上に膨張および／または延在する高さとすることができる。本明細書で説明するように、第１の膨張可能なパウチ１１０は、膨張状態の翼形部４２Ａの負圧側面４６の一部に接触し、実質的に輪郭を形成して、取付け装置１００を翼形部４２に取り外し可能に連結することができる。第１の膨張可能なパウチ１１０は、任意の適切な材料から形成されてもよく、膨張状態で本体部分１０２の第１の側面１０４から膨張し、成長し、および／または延在するように構成され得る任意の適切な部品として構成されてもよく、および／またはそれらを含んでもよい。非限定的な例において、第１の膨張可能なパウチ１１０は、バルーンと同様に機能してもよく、第１の膨張可能なパウチ１１０の膨張状態で膨張および／または成長し、収縮状態で収縮し得る実質的に弾性の材料から形成されてもよい。
【００２３】
図３および図４に示すように、取付け装置１００は、少なくとも１つの把持パッド１１２も含むことができる。１つまたは複数の把持パッド１１２を、第１の膨張可能なパウチ１１０上に配置することができる。具体的には、１つまたは複数の把持パッド１１２は、第１の膨張可能なパウチ１１０の膨張状態で、本体部分１０２の第１の側面１０４から変位され、および／またはそこから離れて延在することができる第１の膨張可能なパウチ１１０の接触面または露出面１１８（以下、「露出面１１８」）上に配置され得る。複数の把持パッド１１２が示されているが、第１の膨張可能なパウチ１１０は、露出面１１８上に配置された単一の把持パッド１１２を含んでもよいことが理解される。本明細書で説明するように、第１の膨張可能なパウチ１１０の膨張状態において、１つまたは複数の把持パッド１１２は、第１の翼形部４２Ａの負圧側面４６に直接接触して、取付け装置１００と翼形部４２との間の取り外し可能な連結を助けることができる。１つまたは複数の把持パッド１１２は、第１の膨張可能なパウチ１１０の膨張状態において、接触した翼形部４２Ａに対して付加的な把持および／または摩擦を提供することができる任意の適切な材料から形成され、および／またはそのような任意の適切な材料でコーティングされてもよい。さらに、または代替的に、１つまたは複数の把持パッド１１２は、接触した翼形部４２Ａの周りで変形および／または輪郭を形成するように実質的に可撓性であり得る任意の適切な材料から形成されてもよい。非限定的な例では、１つまたは複数の把持パッド１１２は、ゴムまたはプラスチック、発泡体などのポリマー材料から形成され、および／またはそのようなポリマー材料でコーティングされてもよい。あるいは、本明細書で説明される他の非限定的な例において、１つまたは複数の把持パッド１１２は、実質的に剛性の材料から形成されてもよい（図６参照）。
【００２４】
取付け装置１００はまた、第２の保持部品１２０を含むことができる。第２の保持部品１２０は、本体部分１０２の第２の側面１０６、対向側の第１の側面１０４、および／または調整可能な第１の保持部品１０８に形成されてもよい。具体的には、取付け装置１００は、本体部分１０２の第２の側面１０６上に形成され、配置され、および／またはそこから延在する第２の保持部品１２０を含むことができる。本明細書で説明するように、第２の保持部品１０８は、タービン２８の翼形部４２に取付け装置１００を取り外し可能に連結するときに、第２の翼形部４２Ｂの正圧側面４４の少なくとも一部と接触するように構成され得る様々な機構もしくは部品として構成されてもよく、および／またはそれらを含んでもよい（図２および図５参照）。
【００２５】
図３および図４に示す非限定的な例では、第２の保持部品１２０は、湾曲部分１２２を含むことができる。非限定的な例において、湾曲部分１２２を、本体部分１０２および／または本体部分１０２の第２の側面１０６と一体的に形成することができる。別の非限定的な例では、湾曲部分１２２は、本体部分１０２の第２の側面１０６に連結された、および／またはそれに固定された別個の部品として形成されてもよい。本明細書で説明するように、湾曲部分１２２は、第１の膨張可能なパウチ１１０の膨張状態および収縮状態で第２の翼形部４２Ｂの正圧側面４４の一部と接触して、取付け装置１００を翼形部４２に取り外し可能に連結するように構成され得る。第２の保持部品１２０を形成する湾曲部分１２２は、任意の適切な材料から形成されてもよく、第２の翼形部４２Ｂの正圧側面４４に接触および／または内部に着座するように構成され得る１つまたは複数の任意の適切な部品として構成されてもよく、および／またはそれらを含んでもよい。例えば、湾曲部分１２２は、金属、金属合金、セラミック、ポリマー材料（例えば、ゴム、プラスチック）、発泡体、木材などを含むが、これらに限定されない実質的に剛性の材料から形成されてもよい。さらに、本明細書で説明するように、湾曲部分１２２は、第２の翼形部４２Ｂの正圧側面４４の一部に実質的に類似および／または対応し得る形状を有する表面１２４を含むことができる。
【００２６】
図５を参照すると、図３および図４の取付け装置１００は、ガスタービンシステム１０のタービン２８（図１参照）の翼形部４２に取り外し可能に連結されているものとして示されている。すなわち、取付け装置１００は、第１の翼形部４２Ａと第２の翼形部４２Ｂとの間に形成された空間５２内に配置され得、第１の翼形部４２Ａおよび第２の翼形部４２Ｂにそれぞれ取り外し可能に連結され得る。図５に示すように、調整可能な第１の保持部品１０８は、第１の翼形部４２Ａの負圧側面４６に接触することができる。調整可能な第１の保持部品１０８が第１の膨張可能なパウチ１１０として形成される非限定的な例では、第１の膨張可能なパウチ１１０は、膨張状態の第１の翼形部４２Ａの負圧側面４６の一部に接触し、実質的に輪郭を形成して、取付け装置１００を翼形部４２に取り外し可能に連結するのを助けることができる。すなわち、取付け装置１００は、第１の膨張可能なパウチ１１０が収縮状態（図３参照）にある間に、第１の翼形部４２Ａと第２の翼形部４２Ｂとの間に挿入および／または配置され得る。第１の翼形部４２Ａと第２の翼形部４２Ｂとの間に配置されると、第１の膨張可能なパウチ１１０を膨張させることができ、露出面１１８は第１の翼形部４２Ａの負圧側面４６の一部の形状および／または輪郭に接触し、実質的に輪郭を形成することができる。さらに、図５に示すように、第１の膨張可能なパウチ１１０が１つまたは複数の把持パッド１１２を含む場合、１つまたは複数の把持パッド１１２は、第１の翼形部４２Ａの負圧側面４６の一部の形状および／または輪郭に直接接触し、および／または実質的に輪郭を形成して、取付け装置１００とタービン２８の翼形部４２との間の取り外し可能な連結を助ける、および／または維持することができる。
【００２７】
第２の保持部品１２０（図３および図４参照）は、第２の翼形部４２Ｂの正圧側面４４に接触することができる。第２の保持部品１２０が湾曲部分１２２を形成する非限定的な例において、湾曲部分１２２は、第１の膨張可能なパウチ１１０の膨張状態および収縮状態において、第２の翼形部４２Ｂの正圧側面４４の一部に直接接触するおよび／または実質的に内部に着座することができる。すなわち、取付け装置１００は、第１の翼形部４２Ａと第２の翼形部４２Ｂとの間に挿入および／または配置され得、湾曲部分１２２は、第２の翼形部４２Ｂの正圧側面４４の一部に配置され、直接接触し、接触を維持し、および／または内部に着座することができる。第２の翼形部４２Ｂの正圧側面４４に直接接触および／または内部に着座するために、湾曲部分１２２は、第２の翼形部４２Ｂの正圧側面４４の一部に実質的に類似および／または対応し得る形状を有する表面１２４を含むことができる。
【００２８】
取付け装置１００は、調整可能な第１の保持部品１０８および／または第２の保持部品１２０によって加えられる圧縮力によって、第１の翼形部４２Ａと第２の翼形部４２Ｂとの間に取り外し可能に連結され、および／または維持され得る。具体的には、図５に示す非限定的な例では、取付け装置１００が第１の翼形部４２Ａと第２の翼形部４２Ｂとの間に配置されると、湾曲部分１２２は、第２の翼形部４２Ｂの正圧側面４４に（例えば、重力に起因する）円周方向の圧縮力を加えることができる。その後、第１の膨張可能なパウチ１１０が膨張状態にあるとき、第１の膨張可能なパウチ１１０は、第１の翼形部４２Ａの負圧側面４６に接触し、次に、円周方向の圧縮力を加えることができる。さらに、膨張状態になると、第１の膨張可能なパウチ１１０は、湾曲部分１２２に向かって円周方向の圧縮力を加えることができ、次に、これにより、第２の翼形部４２Ｂの正圧側面４４に加えられる円周方向の圧縮力を増加させて、取付け装置１００を翼形部４２に取り外し可能に連結する。第１の膨張可能なパウチ１１０が収縮状態になると、取付け装置１００はもはや翼形部４２に取り外し可能に連結されず、タービン２８から取り外されてもよい。
【００２９】
図６〜図１２は、取付け装置１００の追加の非限定的な例を示している。同様の符号を付したおよび／または名前をつけた部品は、実質的に同様の態様で機能し得ることが理解される。これらの部品の冗長な説明は、明確化のために省略されている。
【００３０】
図６は、第１の膨張可能なパウチ１１０（例えば、調整可能な第１の保持部品１０８）および第１の膨張可能なパウチ１１０上に形成および／または配置された１つまたは複数の把持パッド１１２を含む取付け装置１００の側面図を示している。図３〜図５に関して本明細書に示され説明された１つまたは複数の把持パッド１１２とは異なり、図６に示される１つまたは複数の把持パッド１１２は、実質的に剛性の材料から形成されてもよい。すなわち、図６の非限定的な例に示される１つまたは複数の把持パッド１１２は、実質的に剛性の材料から形成されて、第１の膨張可能なパウチ１１０が膨張状態にあるとき、第１の膨張可能なパウチ１１０は、第１の翼形部４２Ａの負圧側面４６の一部に輪郭を形成することができるが、１つまたは複数の把持パッド１１２はそうではない。むしろ、剛性材料から形成された１つまたは複数の把持パッド１１２は、第１の翼形部４２Ａの負圧側面４６の形状および／または輪郭に実質的に類似および／または対応し得る形状１２６を有することができる。このため、第１の膨張可能なパウチ１１０が膨張状態にあるとき、形状１２６を有する１つまたは複数の把持パッド１１２は、第１の翼形部４２Ａの負圧側面４６に直接接触してもよく、および／または第１の翼形部４２Ａの負圧側面４６の一部を実質的に受け入れてもよい。非限定的な例では、形状１２６を有する１つまたは複数の把持パッド１１２は、金属、金属合金、セラミック、ポリマー材料（例えば、ゴム、プラスチック）、発泡体、木材などから形成されてもよい。
【００３１】
図７〜図９は、インサート１２８を含む取付け装置１００の別の非限定的な例を示している。具体的には、図７は、インサート１２８を含む取付け装置１００の上面図を示し、図８は、収縮状態にあるインサート１２８を含む取付け装置１００の側面断面図を示し、図９は、膨張状態にあるインサート１２８を含む取付け装置１００の側面断面図を示している。図７〜図９に示すように、インサート１２８は、第１の膨張可能なパウチ１１０内に配置されてもよい。すなわち、インサート１２８は、本体部分１０２の第１の側面１０４に配置されてもよく、第１の膨張可能なパウチ１１０内に配置されてもよく、および／または第１の膨張可能なパウチ１１０で実質的に包囲されてもよい。インサート１２８が予め形成された形状１３０を有する非限定的な例において、インサート１２８は、金属、金属合金、セラミック、ポリマー材料（例えば、ゴム、プラスチック）、発泡体、木材などを含むが、これらに限定されない実質的に剛性の材料から形成されてもよい。別の非限定的な例では、インサート１２８は、第１の翼形部４２Ａの負圧側面４６に接触する前に予め形成された形状１３０を有していなくてもよい。この非限定的な例では、インサート１２８は、第１の膨張可能なパウチ１１０およびインサート１２８が第１の翼形部４２Ａの負圧側面４６に接触したときに、インサート１２８が形状１３０を形成するために翼形部４２Ａの負圧側面４６の一部に実質的に輪郭を形成し得るように、実質的に弾性のある、変形可能なおよび／または柔軟な材料から形成されてもよい。
【００３２】
図８および図９に示すように、第１の膨張可能なパウチ１１０内に配置されたインサート１２８は、所定のおよび／または予め形成された形状１３０を有することができる。インサート１２８に含まれる形状１３０は、第１の翼形部４２Ａの負圧側面４６の形状および／または輪郭に実質的に類似してもよく、および／または対応してもよい。第１の膨張可能なパウチ１１０は、膨張状態で構成されてもよく、形状１３０を有するインサート１２８は、内部の膨張可能な支持体１３２（図９参照）を介して、第１の翼形部４２Ａに向かって変位されてもよい。第１の膨張可能なパウチ１１０が膨張状態にあり、インサート１２８が内部の膨張可能な支持体１３２を介して変位されると、インサート１２８は、本明細書で説明するように、第１の翼形部４２Ａの負圧側面４６に接触してもよく、および／または第１の翼形部４２Ａの負圧側面４６の一部を実質的に受け入れてもよく、これにより取付け装置１００を翼形部４２に取り外し可能に連結するのを助ける。
【００３３】
図１０および図１１は、可撓性部品１３４を含む取付け装置１００の非限定的な例を示している。具体的には、取付け装置１００の第２の保持部品１２０は、本体部分１０２の第２の側面１０６に配置された可撓性部品１３４を含むことができる。可撓性部品１３４は、本体部分１０２の第２の側面１０６に連結されるか、または固定され得る別個の部品として形成されてもよい。取付け装置１００の可撓性部品１３４は、第１の膨張可能なパウチ１１０の膨張状態および収縮状態で、第２の翼形部４２Ｂの正圧側面４４の一部に接触し、実質的に輪郭を形成するように構成され得る。すなわち、非限定的な例において、可撓性部品１３４は、取付け装置１００がタービン２８の翼形部４２の間に配置される（図２および図５参照）ときに、可撓性部品１３４は、第２の翼形部４２Ｂの正圧側面４４に直接接触し、実質的に輪郭を形成することができるように、実質的に弾性のある、変形可能なおよび／または柔軟な材料から形成されてもよい。比較すると、図１０は、タービン２８の翼形部４２間に配置される前の可撓性部品１３４を含む取付け装置１００を示し、図１１は、タービン２８の翼形部４２を挿入および／または配置した後の可撓性部品１３４を含む取付け装置１００を示している。図１０では、可撓性部品１３４は、実質的に屈曲されていなくてもよく、および／または圧縮されていなくてもよい。逆に図１１では、取付け装置１００が翼形部４２間に配置されると、可撓性部品１３４は第２の翼形部４２Ｂの正圧側面４４に接触してもよく、実質的に屈曲、変形および／または圧縮されてもよい。可撓性部品１３４の屈曲、変形および／または圧縮は、第２の翼形部４２Ｂの正圧側面４４の形状および／または輪郭に実質的に類似および／または対応する形状を有する可撓性部品１３４の接触面１３６をもたらすことができる。可撓性部品１３４は、ゴムまたはプラスチック、発泡体などのポリマー材料を含むが、これらに限定されない材料から形成されてもよい。
【００３４】
図１２は、２つの異なる膨張可能なパウチ１１０，１３８を含む取付け装置１００の側面図を示している。図３および図４に関して本明細書で説明したのと同様に、図１２に示す取付け装置１００の調整可能な第１の保持部品１０８は、第１の膨張可能なパウチ１１０を含むことができる。さらに、図１２に示すように、第２の保持部品１２０は、別のすなわち第２の膨張可能なパウチ１３８を含むことができる。第２の膨張可能なパウチ１３８は、第１の側面１０４および／または第１の膨張可能なパウチ１１０に対向して、本体部分１０２の第２の側面１０６に配置および／または形成され得る。非限定的な例では、第２の膨張可能なパウチ１３８は、本明細書で説明されるように、第１の膨張可能なパウチ１１０と同様の機構（例えば、１つまたは複数の把持パッド１１２）を含んでもよく、および／または第１の膨張可能なパウチ１１０と実質的に同様の態様で機能もしくは動作してもよい。すなわち、第２の膨張可能なパウチ１３８は、タービン２８の翼形部４２への取付け装置１００の取り外し可能な連結を助けるために、膨張および収縮するように構成されてもよい。具体的には、第２の膨張可能なパウチ１３８が収縮状態にあるとき、第２の膨張可能なパウチ１３８は、本体部分１０２の第２の側面１０６と接触し、および／または実質的に平坦に向けられてもよい。すなわち、第２の膨張可能なパウチ１３８は、本体部分１０２の第２の側面１０６の下に実質的に延在しなくてもよく、収縮状態で第２の翼形部４２Ｂの正圧側面４４に接触しなくてもよい。膨張状態（図示せず）において、第２の膨張可能なパウチ１３８は、本体部分１０２の第２の側面１０６から膨張し、成長し、および／または延在することができる。膨張状態では、第２の膨張可能なパウチ１３８は、第２の翼形部４２Ｂの正圧側面４４に向かって膨張し、成長し、および／または延在することができる。第１の膨張可能なパウチ１１０に関して本明細書で説明されているように、第２の膨張可能なパウチ１３８は、膨張状態の第２の翼形部４２Ｂの正圧側面４４の一部に接触し、実質的に輪郭を形成して、取付け装置１００を翼形部４２に取り外し可能に連結するのを助けることができる。さらに、本明細書で説明されているように、第２の保持部品１２０、より具体的には第２の膨張可能なパウチ１３８が１つまたは複数の把持パッド１１２を含む場合には、１つまたは複数の把持パッド１１２もまた、第２の膨張可能なパウチ１３８の膨張状態の第２の翼形部４２Ｂの正圧側面４４の一部に接触し、実質的に輪郭を形成することができる。
【００３５】
図３〜図１２に関して本明細書に示され説明されている取付け装置１００の非限定的な例の各々は、ガスタービンシステム１０のタービン２８（図１参照）のための検査装置（図示せず）を受け入れ、収容し、および／または含むように構成され得る。すなわち、図３〜図１２に示されている取付け装置１００の例はすべて、検査装置を受け入れ、収容し、および／または含むように構成され得、検査プロセスを実行するために、検査装置がタービン２８の翼形部４２に取り外し可能に連結されてもよい。本明細書で説明するように、取付け装置１００を翼形部４２に取り外し可能に連結するために使用される圧縮嵌めは、取付け装置１００上に配置された検査装置を使用して検査プロセスを実行する際に、取付け装置１００の翼形部４２からの滑り、移動および／または連結解除を実質的に防止することができる。さらに、取付け装置１００を翼形部４２に取り外し可能に連結するために使用される圧縮嵌めは、取付け装置１００上に配置された検査装置によって行われる検査プロセス中に、翼形部４２および／またはロータ３０の移動（例えば、回転）を妨害および／または防止しなくてもよい。
【００３６】
図１３および図１４は、タービン２８の翼形部４２と連結されるように構成された取付け装置２００の別の非限定的な例の側面図を示している。図３〜図１２に関して本明細書で説明された取付け装置１００と同様に、図１３および図１４に示す取付け装置２００は、本体部分２０２と、本体部分２０２の第１の側面２０４に形成された調整可能な第１の保持部品２０８と、本体部分２０２の第１の側面２０４に対向する第２の側面２０６に形成された第２の保持部品２２０とを含むことができる。同様の符号を付したおよび／または名前をつけた部品は、実質的に同様の態様で機能し得ることが理解される。これらの部品の冗長な説明は、明確化のために省略されている。
【００３７】
ただし、取付け装置１００とは異なり、取付け装置２００は、本体部分２０２、調整可能な第１の保持部品２０８および／または第２の保持部品２２０の別個の機構、部品および／または構成を含むことができる。図１３および図１４に示す非限定的な例において、取付け装置２００の本体部分２０２は、リンクヒンジ２４２を含む第１のアーマチュアまたはリンケージ２４０（以下、「第１のリンケージ２４０」）および別個のリンクヒンジ２４２を含む第２のリンケージ２４４を含むことができる。第１のリンケージ２４０は、本体部分２０２の第１の側面２０４を画定および／または図示することができ、第２のリンケージ２４４は、本体部分２０２の第１の側面２０４に対向する第２の側面２０６を画定および／または図示することができる。このため、第２のリンケージ２４４を、取付け装置２００において第１のリンケージ２４０に隣接しておよび／または対向して配置することができる。第１のリンケージ２４０および第２のリンケージ２４４の各々は、リンクヒンジ２４２によって枢動可能に接続され、および／または枢動可能に連結された２つの別個のセクションまたは部材を含むことができる。２つの別個のセクションが示されているが、第１のリンケージ２４０および／または第２のリンケージ２４４は、より多くのセクションまたは部材を含み得ることが理解される。第１のリンケージ２４０および／または第２のリンケージ２４４はまた、複数のリンクヒンジ２４２を含んでもよく、第１のリンケージ２４０および／または第２のリンケージ２４４は、３つ以上のセクションまたは部材を含む。
【００３８】
第１のリンケージ２４０および第２のリンケージ２４４はまた、連結ヒンジ２４６を介して互いに連結され得る。より具体的には、第１のリンケージ２４０および第２のリンケージ２４４のそれぞれの第１の遠位端２４８，２５０は、連結ヒンジ２４６を介して互いに枢動可能に接続され、および／または枢動可能に連結され得る。さらに、第１のリンケージ２４０の第２の遠位端２５２は、別個の連結ヒンジ２４６を介して、それぞれの第１の遠位端２４８，２５０に対向して第２のリンケージ２４４の第２の遠位端２５４に枢動可能に接続され、および／または枢動可能に連結され得る。図１３および図１４に示すように、連結ヒンジ２４６はまた、第１のリンケージ２４０および第２のリンケージ２４４の第２の遠位端２５２，２５４をエクステンダ２５６にそれぞれ枢動可能に連結し得る。エクステンダ２５６はまた、タービン２８（図２および図１５参照）の翼形部４２に取付け装置２００を配置しかつ取り外し可能に連結するのを助けるために、それぞれ第１のリンケージ２４０および第２のリンケージ２４４の遠位端２５２，２５４に取り外し可能に連結され得る。すなわち、本明細書で説明するように、エクステンダ２５６は、翼形部４２の中におよび／または翼形部４２の間に延在して、翼形部４２の間に取付け装置２００を配置することができ、したがって、取付け装置２００は、その後、翼形部４２に取り外し可能に連結され得る。本明細書で説明するように、取付け装置２００が翼形部４２に取り外し可能に連結されると、エクステンダ２５６は、それぞれ第１のリンケージ２４０および第２のリンケージ２４４から連結解除され得、一方、第１のリンケージ２４０および第２のリンケージ２４４の第２の遠位端２５２，２５４は、連結ヒンジ２４６を介して枢動可能に連結されたままである。さらに、第１のリンケージ２４０および第２のリンケージ２４４をエクステンダ２５６に連結する連結ヒンジ２４６の結果として、第１のリンケージ２４０および第２のリンケージ２４４は集合的にエクステンダ２５６の周りを回転方向（Ｒ）に回転するように構成され得る。
【００３９】
第１のリンケージ２４０および第２のリンケージ２４４は、拡張状態と折り畳まれた状態との間で移動し、位置シフトし、および／または調整されるように構成され得る。具体的には、第１のリンケージ２４０および第２のリンケージ２４４は、第１のリンケージ２４０および第２のリンケージ２４４の拡張状態と折り畳まれた状態との間で変化するときに、第１の方向（Ｄ１）および第２の方向（Ｄ２）に移動し、位置シフトし、および／または調整されるように構成され得る。非限定的な例において、図１３は、拡張状態の第１のリンケージ２４０および第２のリンケージ２４４を示し、図１４は、折り畳まれた状態の第１のリンケージ２４０および第２のリンケージ２４４を示している。拡張状態では、図１３に示すように、第１のリンケージ２４０は、第２のリンケージ２４４から第２の方向（Ｄ２）に離れるように移動することができる。その結果、第１のリンケージ２４０はまた、エクステンダ２５６に向かって第１の方向（Ｄ１）に移動することができる。さらに、本明細書で説明するように、第１のリンケージ２４０は、拡張状態で第１の翼形部４２Ａの負圧側面４６に向かって移動し、取付け装置２００を翼形部４２に取り外し可能に連結するのを助けることができる。図１３に示すように、第２のリンケージ２４４もまた、拡張状態では、第１のリンケージ２４０から第２の方向（Ｄ２）に離れるように移動することができる。第１のリンケージ２４０と同様に、第２のリンケージ２４４も、エクステンダ２５６に向かって第１の方向（Ｄ１）に移動することができる。また、本明細書で説明するように、第２のリンケージ２４４は、拡張状態で第２の翼形部４２Ｂの正圧側面４４に向かって移動し、取付け装置２００を翼形部４２に取り外し可能に連結するのを助けることができる。
【００４０】
図１４に示すように、第１のリンケージ２４０および第２のリンケージ２４４は、折り畳まれた状態でさらに明確に移動し、シフトし、および／または調整されることができる。具体的には、折り畳まれた状態では、図１４に示すように、第１のリンケージ２４０は、第２の方向（Ｄ２）に第２のリンケージ２４４に向かって移動することができる。結果として、第１のリンケージ２４０はまた、エクステンダ２５６から離れて第１の方向（Ｄ１）に移動することができる。さらに、本明細書で説明するように、第１のリンケージ２４０は、折り畳まれた状態で第１の翼形部４２Ａの負圧側面４６から離れて、翼形部４２間に取付け装置２００を配置するのを助けることができる。図１４に示すように、第２のリンケージ２４４はまた、折り畳まれた状態で第２方向（Ｄ２）に第１のリンケージ２４０に向かって移動することができる。第１のリンケージ２４０と同様に、第２のリンケージ２４４も、エクステンダ２５６から離れる第１の方向（Ｄ１）に移動することができる。また、本明細書で説明するように、第２のリンケージ２４４は、折り畳まれた状態で第２の翼形部４２Ｂの正圧側面４４から離れるように移動して、翼形部４２間に取付け装置２００を配置するのを助けることができる。
【００４１】
取付け装置２００の本体部分２０２を形成する第１のリンケージ２４０および第２のリンケージ２４４は、ヒンジ２４２，２４６および／または本体部分２０２を形成するリンケージ構成の結果として拡張するおよび／または折り畳まれることができる。すなわち、本明細書で説明するリンクヒンジ２４２と連結ヒンジ２４６との枢動連結関係に基づいて、平行四辺形のリンケージを介して第１のリンケージ２４０も第２のリンケージ２４４に連結され、本体部分２０２は、拡張状態と折り畳まれた状態との間で移動または調整するように構成され得る。本明細書で説明するように、本体部分２０２、具体的には第１のリンケージ２４０および第２のリンケージ２４４は、拡張状態で、取付け装置２００の翼形部４２への取り外し可能な連結を助けることができる。さらに、本体部分２０２、具体的には第１のリンケージ２４０および第２のリンケージ２４４は、折り畳まれた状態で、取付け装置２００を翼形部４２の間に配置するのを助けることができる。
【００４２】
図１３および図１４に示すように、取付け装置２００の調整可能な第１の保持部品２０８は、第１のピン２５８を含むことができる。第１のピン２５８は、第１のリンケージ２４０のリンクヒンジ２４２に隣接して、および／またはそこから延びるように配置され得る。具体的には、第１のピン２５８は、第２のリンケージ２４４とは反対側の第１のリンケージ２４０のリンクヒンジ２４２に隣接して、および／またはそこから外向きに延びるように配置され得る。非限定的な例において、第１のピン２５８は、第１のリンケージ２４０のリンクヒンジ２４２に枢動可能に連結されてもよい。その結果、第１のピン２５８は、取付け装置２００をタービン２８（図２および図１５参照）の翼形部４２に連結するのを助けるために、リンクヒンジ２４２を中心として回転方向（Ｒ）に少なくとも部分的に回転するように構成され得る。すなわち、本明細書で説明するように、第１のピン２５８は、第１のリンケージ２４０のリンクヒンジ２４２を中心として少なくとも部分的に枢動および／または回転し、第１のリンケージ２４０の拡張状態において、第１の翼形部４２Ａの負圧側面４６と整列して、実質的に接触し、取付け装置２００を翼形部４２に連結するのを助けるように構成され得る。さらに、または別の非限定的な例において、第１のピン２５８は、第１のリンケージ２４０のリンクヒンジ２４２に取り外し可能に連結されてもよい。非限定的な例では、第１のリンケージ２４０は、第１のリンケージ２４０のリンクヒンジ２４２と交換され、および／または取り外し可能に連結され得る、異なるサイズの（例えば、長さ、幅などが異なる）複数の第１のピン２５８を利用することができる。個々の翼形部４２（図２参照）の間に異なるサイズの間隙または空間５２を有することができるタービン２８の翼形部４２の様々な段に取付け装置２００を連結するのを助けるために、別個の第１のピン２５８を第１のリンケージ２４０上で交換することができる。
【００４３】
第１のピン２５８は、本明細書で説明するように、任意の適切な材料から形成されてもよく、取付け装置２００を翼形部４２に接触させて連結するのを助けるように構成され得る任意の適切な部品として構成されてもよく、および／またはそれらを含んでもよい。非限定的な例では、第１のピン２５８は、金属、金属合金、セラミック、ポリマー材料（例えば、ゴム、プラスチック）、発泡体、木材などを含むが、これらに限定されない実質的に剛性の材料から形成されてもよい。第１の翼形部４２Ａの負圧側面４６に接触し得る第１のピン２５８は、実質的に直線状であるように示されているが、第１の翼形部４２Ａの負圧側面４６の一部に実質的に類似および／または対応し得る形状を有する表面を含んでもよい。
【００４４】
図１３および図１４に示す非限定的な例では、取付け装置２００の第２の保持部品２２０は、第２のピン２６０を含むことができる。第２のピン２６０は、調整可能な第１の保持部品２０８を形成する第１のピン２５８と実質的に同様または同一の構造であってもよく、実質的に同様にまたは同一に構築されてもよく、および／または実質的に同様にまたは同一に動作してもよい。例えば、第２のピン２６０は、第２のリンケージ２４４のリンクヒンジ２４２に隣接して、および／またはそこから延びるように配置されてもよい。具体的には、第２のピン２６０は、第１のリンケージ２４０および／または第１のピン２５８とは反対側の、第２のリンケージ２４４のリンクヒンジ２４２に隣接して、および／またはそこから外向きに延びるように配置され得る。非限定的な例では、第２のピン２６０は、第２のリンケージ２４４のリンクヒンジ２４２に枢動可能に連結されてもよい。その結果、第２のピン２６０は、取付け装置２００をタービン２８（図２および図１５参照）の翼形部４２に連結するのを助けるために、リンクヒンジ２４２を中心として回転方向（Ｒ）に少なくとも部分的に回転するように構成され得る。すなわち、本明細書で説明するように、第２のピン２６０は、第２のリンケージ２４４のリンクヒンジ２４２を中心として少なくとも部分的に枢動および／または回転し、第２のリンケージ２４４の拡張状態において、第２の翼形部４２Ｂの正圧側面４４と整列して、実質的に接触し、取付け装置２００を翼形部４２に連結するのを助けるように構成され得る。さらに、または別の非限定的な例において、第２のピン２６０は、第２のリンケージ２４４のリンクヒンジ２４２に取り外し可能に連結されてもよい。非限定的な例では、第２のリンケージ２４４は、第２のリンケージ２４４のリンクヒンジ２４２と交換され、および／または取り外し可能に連結され得る、異なるサイズの（例えば、長さ、幅などが異なる）複数の第２のピン２６０を利用することができる。個々の翼形部４２（図２参照）の間に異なるサイズの間隙または空間５２を有することができるタービン２８の翼形部４２の様々な段に取付け装置２００を連結するのを助けるために、別個の第２のピン２６０を第２のリンケージ２４４上で交換することができる。
【００４５】
第１のピン２５８と同様に、第２のピン２６０は、本明細書で説明するように、任意の適切な材料から形成されてもよく、取付け装置２００を翼形部４２に接触させて連結するのを助けるように構成され得る任意の適切な部品として構成されてもよく、および／またはそれらを含んでもよい。非限定的な例では、第２のピン２６０は、金属、金属合金、セラミック、ポリマー材料（例えば、ゴム、プラスチック）、発泡体、木材などを含むが、これらに限定されない実質的に剛性の材料から形成されてもよい。第２の翼形部４２Ｂの正圧側面４４に接触し得る第２のピン２６０は、実質的に直線状であるように示されているが、第２の翼形部４２Ｂの正圧側面４４の一部に実質的に類似および／または対応し得る形状を有する表面を含んでもよい。
【００４６】
図１３および図１４に示すように、取付け装置２００は、任意選択として破線で示されたプラットフォーム２６２を含むこともできる。プラットフォーム２６２は、第１のリンケージ２４０と第２のリンケージ２４４との間の連結ヒンジ２４６に取り外し可能に、および／または枢動可能に連結され得る。さらに、プラットフォーム２６２は、エクステンダ２５６とは反対側の連結ヒンジ２４６に取り外し可能に、および／または枢動可能に連結され得る。プラットフォームは、タービン２８を検査するために利用される検査装置（図示せず）を受け取ることができる任意の適切な部品または機構として構成され得る。すなわち、プラットフォーム２６２は、本明細書で説明するように、ガスタービンシステム１０のタービン２８（図１参照）の検査装置（図示せず）を受け入れ、収容し、および／または含むように構成することができる任意の適切な部品または機構として形成され得る。
【００４７】
図１５を参照すると、図１３および図１４の取付け装置２００は、ガスタービンシステム１０のタービン２８（図１参照）の翼形部４２に取り外し可能に連結されているものとして示されている。すなわち、取付け装置２００は、第１の翼形部４２Ａと第２の翼形部４２Ｂとの間に形成された空間５２内に配置され得、第１の翼形部４２Ａおよび第２の翼形部４２Ｂにそれぞれ取り外し可能に連結され得る。図１５に示すように、調整可能な第１の保持部品２０８は、第１の翼形部４２Ａの負圧側面４６に接触することができる。調整可能な第１の保持部品２０８が第１のピン２５８として形成される非限定的な例において、第１のピン２５８は、拡張状態にあるとき、リンクヒンジ２４２を中心として実質的に回転し、第１の翼形部４２Ａの負圧側面４６に接触して、取付け装置１００を翼形部４２に取り外し可能に連結するのを助けることができる。すなわち、取付け装置２００を、第１の翼形部４２Ａと第２の翼形部４２Ｂとの間に挿入および／または配置することができ、一方、第１のリンケージ２４０および第２のリンケージ２４４は折り畳まれた状態にある（図１４参照）。第１の翼形部４２Ａと第２の翼形部４２Ｂとの間に配置されると、第１のピン２５８は、第１の翼形部４２Ａの負圧側面４６に向かって第１のリンケージ２４０を介して移動または拡張することができ、第１のピン２５８は第１の翼形部４２Ａの負圧側面４６と接触することができる。第１の翼形部４２Ａの負圧側面４６に接触することに加えて、第１の翼形部４２Ａの負圧側面４６の一部の形状および／または輪郭に基づいて、第１のピン２５８は、リンクヒンジ２４２を中心として回転方向（Ｒ）に実質的に回転して、第１のピン２５８と負圧側面４６との間の接触を確実にし、および／または改善することができる。第１のピン２５８と第１の翼形部４２Ａの負圧側面４６との間の接触を確実にしおよび／または改善するための第１のピン２５８の回転は、最終的に、本明細書で説明するように、タービン２８の取付け装置２００と翼形部４２との間の取り外し可能な連結を助け、および／または維持することができる。
【００４８】
さらに、図１５に示すように、第２の保持部品２２０は、第２の翼形部４２Ｂの正圧側面４４に接触することができる。第２の保持部品２２０が第２のピン２６０である非限定的な例において、第２のピン２６０は、第１の翼形部４２Ａの負圧側面４６に接触する第１のピン２５８と同様の方法で第２の翼形部４２Ｂの正圧側面４４の一部に直接接触することができる。すなわち、取付け装置２００を、第１の翼形部４２Ａと第２の翼形部４２Ｂとの間に挿入および／または配置することができ、一方、第１のリンケージ２４０および第２のリンケージ２４４は折り畳まれた状態にある（図１４参照）。第１のピン２５８に関して本明細書で説明したのと同様に、第１の翼形部４２Ａと第２の翼形部４２Ｂとの間に配置されると、第２のピン２６０は、第２の翼形部４２Ｂの正圧側面４４に向かって第２のリンケージ２４４を介して移動または拡張することができ、第２のピン２６０は第２の翼形部４２Ｂの正圧側面４４と接触することができる。第２の翼形部４２Ｂの正圧側面４４に接触することに加えて、第２の翼形部４２Ｂの正圧側面４４の一部の形状および／または輪郭に基づいて、第２のピン２６０は、リンクヒンジ２４２を中心として回転方向（Ｒ）に実質的に回転して、第２のピン２６０と正圧側面４４との間の接触を確実にし、および／または改善することができる。第２のピン２６０と第２の翼形部４２Ｂの正圧側面４４との間の接触を確実にしおよび／または改善するための第２のピン２６０の回転は、最終的に、本明細書で説明するように、取付け装置２００とタービン２８の翼形部４２との間の取り外し可能な連結を助け、および／または維持することができる。
【００４９】
図５に関して本明細書で説明した取付け装置１００と同様に、取付け装置２００は、調整可能な第１の保持部品２０８および／または第２の保持部品２２０によって加えられる圧縮力によって、第１の翼形部４２Ａと第２の翼形部４２Ｂとの間に取り外し可能に連結され、および／または維持され得る。具体的には、図１５に示す非限定的な例において、取付け装置２００の第１のリンケージ２４０および第２のリンケージ２４４が拡張状態にあると（図１３および図１５参照）、第１のリンケージ２４０の第１のピン２５８は、第１の翼形部４２Ａの負圧側面４６に円周方向の圧縮力を加えることができ、第２のリンケージ２４４の第２のピン２６０は、第２の翼形部４２Ｂの正圧側面４４に円周方向の圧縮力を加えることができる。取付け装置２００の第１のリンケージ２４０および第２のリンケージ２４４が折り畳まれた状態にあると（図１４参照）、取付け装置２００はもはや翼形部４２に取り外し可能に連結されず、タービン２８から取り外されてもよい。
【００５０】
図１６〜図１８は、取付け装置２００の追加の非限定的な例を示している。同様の符号を付したおよび／または名前をつけた部品は、実質的に同様の態様で機能し得ることが理解される。これらの部品の冗長な説明は、明確化のために省略されている。
【００５１】
図１６および図１７に示す非限定的な例では、取付け装置２００は、柔軟な部品２６４，２６６を含むことができる。取付け装置２００の調整可能な第１の保持部品２０８は、第１の柔軟な部品２６４を含むことができ、第２の保持部品２２０は、第２の柔軟な部品２６６を含むことができる。第１の柔軟な部品２６４は、第２のリンケージ２４４とは反対側の第１のリンケージ２４０のリンクヒンジ２４２に連結されてもよく、そこから延びていてもよい。さらに、第２の柔軟な部品２６６は、第１のリンケージ２４０とは反対側の第２のリンケージ２４４のリンクヒンジ２４２に連結されてもよく、そこから延びていてもよい。第１の柔軟な部品２６４および第２の柔軟な部品２６６の両方は、本明細書で説明するように、取付け装置２００を翼形部４２に取り外し可能に連結するときに、タービン２８のそれぞれの翼形部４２（図２参照）に接触し、実質的に輪郭を形成するように構成され得る。具体的には、第１の柔軟な部品２６４は、第１のリンケージ２４０の拡張状態で第１の翼形部４２Ａの負圧側面４６の一部に接触し、実質的に輪郭を形成するように構成され得る。さらに、第２の柔軟な部品２６６は、第２のリンケージ２４４の拡張状態で第２の翼形部４２Ｂの正圧側面４４の一部に接触し、実質的に輪郭を形成するように構成され得る。翼形部４２のそれぞれの側面に輪郭を形成することによって、第１の柔軟な部品２６４および第２の柔軟な部品２６６は、実質的に屈曲、変形および／または圧縮され得る。第１の柔軟な部品２６４および第２柔軟な部品２６６の屈曲、変形および／または圧縮の結果として、第１の柔軟な部品２６４および第２の柔軟な部品２６６は、接触した翼形部４２のそれぞれの側面の形状および／または輪郭に実質的に類似および／または対応する形状を有する。すなわち、図１７に示すように、第１の柔軟な部品２６４は、実質的に屈曲、変形および／または圧縮されてもよく、第１の翼形部４２Ａの負圧側面４６の形状および／または輪郭に実質的に類似および／または対応する形状を有してもよい。さらに、図１７に示すように、第２の柔軟な部品２６６は、実質的に屈曲、変形および／または圧縮されてもよく、第２の翼形部４２Ｂの正圧側面４４の形状および／または輪郭に実質的に類似および／または対応する形状を有してもよい。非限定的な例では、第１の柔軟な部品２６４および第２の柔軟な部品２６６は、ゴムまたはプラスチック、発泡体などのポリマー材料を含むがこれらに限定されない実質的に弾性のある、変形可能なおよび／または柔軟な材料から形成されてもよい。
【００５２】
図１８は、剛性支持体２６８を含む取付け装置２００の非限定的な例の側面図を示している。図１８に示すように、剛性支持体２６８を、連結ヒンジ２４６を介してエクステンダ２５６に連結することができる。非限定的な例において、剛性支持体２６８は、取り外し可能に連結され、エクステンダ２５６に位置的に（例えば、回転しないで）固定されてもよい。別の非限定的な例では、剛性支持体２６８は、エクステンダ２５６に取り外し可能に連結されてもよく、エクステンダ２５６を中心として回転方向（Ｒ）に回転するように構成されてもよい。さらに、剛性支持体２６８は、第１のリンケージ２４０と第２のリンケージ２４４との間に配置されてもよく、第１のリンケージ２４０および第２のリンケージ２４４に連結されてもよい。第１のリンケージ２４０および第２のリンケージ２４４は、スライダ２７０を介して剛性支持体２６８に摺動可能に連結されてもよく、および／または摺動可能に係合してもよい。スライダ２７０は、第１のリンケージ２４０および第２のリンケージ２４４の第１の遠位端２４８，２５０上にそれぞれ配置されてもよく、剛性支持体２６８に係合して、第１のリンケージ２４０および第２のリンケージ２４４を第１の方向（Ｄ１）および／または第２の方向（Ｄ２）に互いに独立して移動可能にしてもよい。図１８に示す非限定的な例では、第１のリンケージ２４０および第２のリンケージ２４４のそれぞれの第２の遠位端２５２，２５４は、剛性支持体２６８に固定されてもよい。
【００５３】
図１９〜図２６は、タービン２８の１つまたは複数の翼形部４２と連結されるように構成された取付け装置３００の追加の非限定的な例の様々な図を示している。図３〜図１８に関して本明細書で説明された取付け装置１００，２００と同様に、図１９〜図２６に示す取付け装置３００は、本体部分３０２と、調整可能な第１の保持部品３０８と、本体部分３０２に形成された第２の保持部品３２０とを含むことができる。同様の符号を付したおよび／または名前をつけた部品は、実質的に同様の態様で機能し得ることが理解される。これらの部品の冗長な説明は、明確化のために省略されている。
【００５４】
図１９および図２０は、取付け装置３００の斜視図を示している。具体的には、図１９は、取付け装置３００の斜視図を示し、図２０は、翼形部４２に取り外し可能に連結された取付け装置３００の斜視図を示している。本体部分３０２上に形成された調整可能な第１の保持部品３０８は、少なくとも１つの旋回留め具３７２を含むことができる。非限定的な例では、取付け装置３００は、一緒にもしくは同時に移動することができるか、または互いに独立して移動することができる２つの別個の旋回留め具３７２を含むことができる。図１９および図２０に示すように、旋回留め具３７２は、本体部分３０２の第１の側面３０４の周りでおよび／またはそこに隣接して回転方向（Ｒ）に回転するように構成され得る。旋回留め具３７２はまた、旋回留め具３７２が取付け装置３００を翼形部４２に取り外し可能に連結するために接触し得る翼形部４２の一部に実質的に類似および／または対応し得る形状を有することができる接触面３７４を含み得る。具体的には、図２０に示すように、旋回留め具３７２の接触面３７４は、翼形部４２の前縁４８、正圧側面４４の一部および／または負圧側面４６の一部に実質的に類似および／または対応し得る形状を有することができる。旋回留め具３７２の接触面３７４の対応する形状は、本明細書で説明するように、取付け装置３００を翼形部４２に取り外し可能に連結するのを助けることができる。非限定的な例では、旋回留め具３７２は、翼形部４２の前縁４８、正圧側面４４の一部および／または負圧側面４６の一部に対する圧縮力を取付け装置３００に提供することができる。圧縮力は、同様の圧縮力を加えることができるばねまたは他の適切な機構を介して、翼形部４２に加えられてもよい。本明細書では、２つの旋回留め具３７２が示され説明されているが、取付け装置３００は、取付け装置３００を翼形部４２に取り外し可能に連結するために利用されるより多くのまたはより少ない旋回留め具を含むことができると理解される。
【００５５】
さらに、本体部分３０２上に形成された第２の保持部品３２０は、その中に形成された凹部３７６を含むことができる。具体的には、凹部３７６は、第２の側面３０６においておよび／またはそれに隣接して、本体部分３０２内におよび／または本体部分３０２を部分的に貫通して形成され得る。さらに、凹部３７６は、取付け装置３００の旋回留め具３７２に対向して形成され得る。非限定的な例では、凹部３７６は、凹部３７６が取付け装置３００を翼形部４２に取り外し可能に連結するために接触および／または受け入れることができる翼形部４２の一部に実質的に類似および／または対応し得る形状を有することができる。具体的には、図１９および図２０に示すように、凹部３７６は、翼形部４２の後縁５０、正圧側面４４の一部および／または負圧側面４６の一部に実質的に類似および／または対応し得る形状を有することができる。このため、取付け装置３００が翼形部４２に取り外し可能に連結されると、翼形部４２の後縁５０、正圧側面４４の一部および／または負圧側面４６の一部は、凹部３７６内に実質的に受け入れられ、および／または配置され得る（図２０参照）。凹部３７６の対応する形状は、本明細書で説明するように、取付け装置３００を翼形部４２に取り外し可能に連結するのを助けることができる。
【００５６】
図２１は、翼形部４２に取り外し可能に連結された取付け装置３００の別の非限定的な例の斜視図を示している。図２１に示す取付け装置３００は、図１９および図２０に関して本明細書に示され説明された取付け装置３００と実質的に同様の機構および／または部品を含むことができる。例えば、図２１の取付け装置３００は、凹部３７６を含むことができ、この凹部３７６は、第２の側面３０６においておよび／またはそれに隣接して、本体部分３０２内におよび／または本体部分３０２を部分的に貫通して形成され得る。
【００５７】
図１９および図２０に示す取付け装置３００とは異なり、図２１に示す取付け装置３００の調整可能な第１の保持部品３０８は、調整可能な留め具３７８を含むことができる。図２１に示すように、調整可能な留め具３７８は、本体部分３０２の第１の側面３０４に配置および／または形成され得る。非限定的な例では、調整可能な留め具３７８は、本体部分３０２の（幅の）部分の上にのみ広がることができる。このため、本体部分３０２の第１の側面３０４の残りの部分は、前縁４８上におよび／またはこれに隣接して存在してもよいし、あるいは前縁４８より上におよび／または実質的に離れて配置されてもよい。別の非限定的な例において、調整可能な留め具３７８を含まない第１の側面３０４の残りの部分は、本体部分３０２の第２の側面３０６に形成された凹部３７６と同様の凹部（図示せず）を含むことができる。調整可能な留め具３７８に隣接する第１の側面３０４に形成された凹部は、翼形部４２の前縁４８、正圧側面４４および／または翼形部４２の負圧側面４６の少なくとも一部を受け入れるように構成され得る。
【００５８】
調整可能な留め具３７８は、取付け装置３００を翼形部４２に取り外し可能に連結するように、前縁４８に向かって軸方向（Ａ）に移動するように構成され得る。調整可能な留め具３７８は、任意の適切な位置調整機構、部品および／または装置を使用して軸方向（Ａ）に移動するように構成されてもよい。図２１に示す非限定的な例において、調整可能な留め具３７８は、調整可能な留め具３７８の軸方向位置を調整するために回転および／または駆動され得るねじ山付きねじ３８０に連結されてもよく、および／または機械的に接続されてもよい。ねじ山付きねじ３８０は、取付け装置３００を軸方向に横切って配置されてもよく、および／または第１の側面３０４から第２の側面３０６まで延びてもよい。回転すると、ねじ山付きねじ３８０は、軸方向（Ａ）に調整可能な留め具３７８を移動させて、翼形部４２に近づくおよび／または接触するか、あるいは調整可能な留め具３７８を翼形部４２から離すように移動させることができる。
【００５９】
調整可能な留め具３７８はまた、旋回留め具３７２（図１９および図２０参照）の接触面３７４と同様の接触面３７４を含むことができる。すなわち、調整可能な留め具３７８の接触面３７４は、調整可能な留め具３７８が取付け装置３００を翼形部４２に取り外し可能に連結するために接触し得る翼形部４２の一部に実質的に類似および／または対応し得る形状を有することができる。具体的には、図２１に示すように、調整可能な留め具３７８の接触面３７４は、翼形部４２の前縁４８、正圧側面４４の一部および／または負圧側面の４６一部に実質的に類似および／または対応し得る形状を有することができる。調整可能な留め具３７８の接触面３７４の対応する形状は、本明細書で説明するように、取付け装置３００を翼形部４２に取り外し可能に連結するのを助けることができる。非限定的な例では、調整可能な留め具３７８は、翼形部４２の前縁４８、正圧側面４４の一部および／または負圧側面４６の一部に対する圧縮力を取付け装置３００に提供することができる。
【００６０】
図２２は、翼形部４２に取り外し可能に連結された取付け装置３００の追加の非限定的な例の斜視図を示している。図２２に示す取付け装置３００は、図２１に関して本明細書に示され説明された取付け装置３００と実質的に同様の機構および／または部品を含むことができる。例えば、図２２の取付け装置３００は、凹部３７６を含むことができ、この凹部３７６は、第２の側面３０６においておよび／またはそれに隣接して、本体部分３０２内におよび／または本体部分３０２を部分的に貫通して形成され得る。さらに、図２２の取付け装置３００は、接触面３７４を含む調整可能な留め具３７８を含むことも可能であり、この調整可能な留め具３７８は、取付け装置３００を翼形部４２に連結するときに翼形部４２に接触するようにねじ山付きねじ３８０を介して軸方向に移動可能である。同様の符号を付したおよび／または名前をつけた部品は、実質的に同様の態様で機能し得る。これらの部品の冗長な説明は、明確化のために省略されている。
【００６１】
ただし、図２１に示されている取付け装置３００とは異なり、図２２に示されている取付け装置３００の調整可能な留め具３７８は、実質的に本体部分３０２の幅全体に広がっていてもよい。より具体的には、調整可能な留め具３７８は、取付け装置３００の本体部分３０２の第１の側面３０４の全幅に広がっていてもよい。図１９〜図２１に示す前述の取付け装置３００と比較すると、図２２に示す取付け装置３００は、合計の幅または全体の幅がより小さくてもよい。
【００６２】
図２３は、翼形部４２に取り外し可能に連結された取付け装置３００の非限定的な例の斜視図を示している。図２３に示す取付け装置３００は、図２２に関して本明細書に示され説明された取付け装置３００と実質的に同様の機構および／または部品を含むことができる。例えば、図２３の取付け装置３００は、凹部３７６を含むことができ、この凹部３７６は、第２の側面３０６においておよび／またはそれに隣接して、本体部分３０２内におよび／または本体部分３０２を部分的に貫通して形成され得る。加えて、図２３の取付け装置３００は、本体部分３０２および／または第１の側面３０４の全幅に広がる接触面３７４を含む調整可能な留め具３７８を含むこともできる。同様の符号を付したおよび／または名前をつけた部品は、実質的に同様の態様で機能し得る。これらの部品の冗長な説明は、明確化のために省略されている。
【００６３】
ただし、図２２に示す取付け装置３００とは異なり、図２３に示す取付け装置３００の調整可能な留め具３７８は、円周方向（Ｃ）に移動して翼形部４２に接触する。より具体的には、調整可能な留め具３７８は、円周方向（Ｃ）に沿って翼形部４２に接近および／または接触することができる。調整可能な留め具３７８を円周方向（Ｃ）に移動させるために、ねじ山付きねじ３８０は、本体部分３０２の第１の側面３０４におよび／またはこれに隣接して配置され得る。さらに、ねじ山付きねじ３８０は、本体部分３０２から、および／または調整可能な留め具３７８に向けて、円周方向に向けられおよび／または延びることができる。図２２に示す非限定的な例では、翼形部４２に接触するように円周方向（Ｃ）に移動する調整可能な留め具３７８の結果として、調整可能な留め具３７８は、取付け装置３００を翼形部４２に取り外し可能に連結するとき、調整可能な留め具３７８は翼形部４２の負圧側面４６にのみ接触することができる。負圧側面４６にのみ接触する結果として、調整可能な留め具３７８の接触面３７４は、翼形部４２の負圧側面４６に実質的に類似および／または対応し得る形状を有することができる。
【００６４】
図２４および図２５は、取付け装置３００の別の非限定的な例を示している。前述の取付け装置３００とは異なり、図２４および図２５に示す取付け装置３００は、翼形部４２の一方の縁部（例えば、前縁４８）上におよび／またはこれに隣接してのみ配置され得、および／または翼形部４２を横切って軸方向に拡張することはできない。非限定的な例では、調整可能な第１の保持部品３０８は、本体部分３０２の第１の側面３０４上に配置された調整可能な留め具３７８を含むことができる。図２４および図２５に示すように、また図２３に関して本明細書に示され説明された取付け装置の調整可能な留め具３７８と同様に、調整可能な留め具３７８は、ねじ山付きねじ３８０を介して円周方向（Ｃ）に移動して、翼形部４２の負圧側面４６に接触するように構成され得る。また、本明細書で説明するように、調整可能な留め具３７８の接触面３７４は、取付け装置３００を翼形部４２に取り外し可能に連結するのを助けるために、翼形部４２の負圧側面４６と実質的に類似および／または対応し得る形状を有することができる。
【００６５】
さらに、図２４および図２５に示す取付け装置３００の第２の保持部品３２０は、第１の側面３０４に対向する第２の側面３０６に形成された凹部３７６を含むことができる。具体的には、凹部３７６は、第２の側面３０６においておよび／またはそれに隣接して、本体部分３０２内におよび／または本体部分３０２を部分的に貫通して形成され得る。非限定的な例では、凹部３７６は、凹部３７６が取付け装置３００を翼形部４２に取り外し可能に連結するために接触および／または受け入れることができる翼形部４２の一部に実質的に類似および／または対応し得る形状を有することができる。具体的には、図２５に示すように、凹部３７６は、翼形部４２の前縁４８、正圧側面４４の一部および／または負圧側面４６の一部に実質的に類似および／または対応し得る形状を有することができる。このため、取付け装置３００が翼形部４２に取り外し可能に連結されると、翼形部４２の前縁４８、正圧側面４４の一部および／または負圧側面４６の一部は、凹部３７６内に実質的に受け入れられおよび／または配置され得る（図２５参照）。凹部３７６の対応する形状は、本明細書で説明するように、取付け装置３００を翼形部４２に取り外し可能に連結するのを助けることができる。
【００６６】
図２６は、第１の翼形部４２Ａおよび第２の翼形部４２Ｂにそれぞれ取り外し可能に連結された取付け装置３００の追加の非限定的な例の斜視図を示している。図２６に示す非限定的な例では、調整可能な第１の保持部品３０８および第２の保持部品３２０はそれぞれ、空間５２内に軸方向に延在し、タービン２８のそれぞれの翼形部４２（図２参照）に実質的に接触し得る輪郭部材３８２を含むことができる。より具体的には、調整可能な第１の保持部品３０８は、本体部分３０２の第１の側面３０４に隣接して形成され得、第１の翼形部４２Ａに隣接する空間５２内に軸方向に延在し得る第１の輪郭部材３８２Ａを含むことができる。取付け装置３００の第１の輪郭部材３８２Ａは、本明細書で説明するように、取付け装置３００を翼形部４２に取り外し可能に連結するのを助けるために、第１の翼形部４２Ａの負圧側面４６に接触して円周方向の力を加えるように構成され得る。図２６に示す非限定的な例では、第１の輪郭部材３８２Ａの接触面３７４は、第１の翼形部４２Ａの負圧側面４６に実質的に類似および／または対応し得る形状を有することができる。別の非限定的な例では、第１の輪郭部材３８２Ａは、実質的に柔軟な材料から形成され得る部分、機構および／または部品を含んでもよい。第１の輪郭部材３８２Ａの柔軟な材料は、第１の翼形部４２Ａの負圧側面４６に接触するときに屈曲、変形および／または圧縮されてもよく、第１の翼形部４２Ａの負圧側面４６に実質的に類似および／または対応し得る形状を有するように変形されてもよい。
【００６７】
第２の保持部品３２０はまた、空間５２内に軸方向に延在し、タービン２８のそれぞれの翼形部４２（図２参照）に実質的に接触し得る第２の輪郭部材３８２Ｂを含むことができる。より具体的には、第２の保持部品３２０は、本体部分３０２の第２の側面３０６に隣接して形成され得、第２の翼形部４２Ｂに隣接する空間５２内に軸方向に延在し得る第２の輪郭部材３８２Ｂを含むことができる。取付け装置３００の第２の輪郭部材３８２Ｂは、本明細書で説明するように、取付け装置３００を翼形部４２に取り外し可能に連結するのを助けるために、第２の翼形部４２Ｂの正圧側面４４に接触して円周方向の力を加えるように構成され得る。図２６に示す非限定的な例では、第２の輪郭部材３８２Ｂの接触面３７４は、第２の翼形部４２Ｂの正圧側面４４と実質的に類似および／または対応し得る形状を有することができる。別の非限定的な例では、第２の輪郭部材３８２Ｂは、実質的に柔軟な材料から形成され得る部分、機構および／または部品を含んでもよい。第２の輪郭部材３８２Ｂの柔軟な材料は、第２の翼形部４２Ｂの正圧側面４４に接触するときに屈曲、変形および／または圧縮されてもよく、第２の翼形部４２Ｂの正圧側面４４に実質的に類似および／または対応し得る形状を有するように変形されてもよい。
【００６８】
図２７〜図２９は、翼形部４２の周りを実質的に覆うことができる、別個の相互接続セグメント４８４を含む取付け装置４００の別の非限定的な例の様々な図を示している。具体的には、図２７は、相互接続セグメント４８４を含む取付け装置４００の上面図を示し、図２８は、相互接続セグメント４８４を含む取付け装置４００の側面図を示し、図２９は、翼形部４２の周りに覆われおよび／または翼形部４２に取り外し可能に連結された相互接続セグメント４８４を含む取付け装置４００の側面図を示している。
【００６９】
図２７〜図２９に示すように、取付け装置４００は、４つの別個の相互接続セグメント４８４を含むことができる。具体的には、取付け装置４００は、第１のセグメント４８４Ａと、第１のセグメント４８４Ａに連結された第２のセグメント４８４Ｂと、第２のセグメント４８４Ｂに連結された第３のセグメント４８４Ｃと、第３のセグメント４８４Ｃに連結された第４のセグメント４８４Ｄとを含むことができる。非限定的な例では、取付け装置４００の各セグメント４８４は、隣接するセグメント４８４に枢動可能に連結されるように構成され得、および／または隣接するセグメント４８４の周りを回転するように構成され得る。例えば、第１のセグメント４８４Ａは、第２のセグメント４８４Ｂの周りを回転するように、枢動可能に連結および／または構成され得る。第２のセグメント４８４Ｂは、第１のセグメント４８４Ａおよび／または第３のセグメント４８４Ｃの周りを回転するように、枢動可能に連結および／または構成され得る。さらに、第３のセグメント４８４Ｃは、第２のセグメント４８４Ｂおよび／または第４のセグメント４８４Ｄの周りを回転するように、枢動可能に連結および／または構成され得る。第４のセグメント４８４Ｄは、第３のセグメント４８４Ｃの周りを回転するように、枢動可能に連結および／または構成され得る。取付け装置４００のセグメント４８４間の枢動連結および／または回転関係は、本明細書で説明するように、取付け装置４００が翼形部４２の周りに覆われおよび／または取り外し可能に連結されるのを助けることができる。
【００７０】
図２８を参照すると、セグメント４８４の少なくとも一部は、取付け装置４００を翼形部４２に取り外し可能に連結するのを助けることができる機構および／または部品を含むことができる。非限定的な例では、第１のセグメント４８４Ａは凹部４７６を含むことができる。凹部４７６は、取付け装置３００に形成された凹部３７６（図１９および図２０参照）と実質的に同様であってもよい。すなわち、凹部４７６は、第２のセグメント４８４Ｂに隣接して、第１のセグメント４８４Ａ内におよび／または第１のセグメント４８４Ａを部分的に貫通して形成され得る。非限定的な例では、凹部４７６は、凹部４７６が取付け装置４００を翼形部４２に取り外し可能に連結するために接触および／または受け入れることができる翼形部４２の一部に実質的に類似および／または対応し得る形状を有することができる。具体的には、図２８および図２９に示すように、凹部４７６は、翼形部４２の後縁５０、正圧側面４４の一部および／または負圧側面４６の一部に実質的に類似および／または対応し得る形状を有することができる。このため、取付け装置４００が翼形部４２に取り外し可能に連結されると、翼形部４２の後縁５０、正圧側面４４の一部および／または負圧側面４６の一部は、凹部４７６内に実質的に受け入れられおよび／または配置され得る（図２９参照）。凹部４７６の対応する形状は、本明細書で説明するように、取付け装置４００を翼形部４２に取り外し可能に連結するのを助けることができる。
【００７１】
さらに、第３のセグメント４８４Ｃは、少なくとも１つのインサート４２８を含むことができる。１つまたは複数のインサート４２８は、取付け装置１００の第１の膨張可能なパウチ１１０内に配置されたインサート１２８（図７〜図９参照）と実質的に同様であってもよい。インサート４２８は、所定の形状および／または予め形成された形状を有することができる。形状は、翼形部４２の負圧側面４６の形状および／または輪郭に実質的に類似および／または対応することができ、取付け装置４００を翼形部４２に取り外し可能に連結するときに、第２のセグメント４８４Ｂを隣接して配置することができ、および／またはインサート４２８を接触させることができる（図２９参照）。第３のセグメント４８４Ｃ上に形成されたインサート４２８は、本明細書で説明するように、取付け装置４００を翼形部４２に取り外し可能に連結するのを助けるために、翼形部４２の負圧側面４６に接触することができ、および／または翼形部４２の負圧側面４６の一部を実質的に受け入れることができる。
【００７２】
１つまたは複数のインサート４２８が予め形成された形状４３０を有する非限定的な例において、インサート４２８は、金属、金属合金、セラミック、ポリマー材料（例えば、ゴム、プラスチック）、発泡体、木材などを含むが、これらに限定されない実質的に剛性の材料から形成されてもよい。別の非限定的な例では、インサート４２８は、翼形部４２の負圧側面４６に接触する前に予め形成された形状４３０を有していなくてもよい。この非限定的な例では、インサート４２８は、インサート４２８が翼形部４２の負圧側面４６に接触したときに、インサート４２８は、翼形部４２の負圧側面４６の一部に実質的に輪郭を形成して形状４３０を形成し得るように、実質的に弾性のある、変形可能なおよび／または柔軟な材料から形成されてもよい。
【００７３】
さらに、取付け装置４００の第４のセグメント４８４Ｄは、フック４８６を含むことができる。フック４８６を、第３のセグメント４８４Ｃとは反対側の第４のセグメント４８４Ｄの端部に配置することができる。フック４８６は、第４のセグメント４８４Ｄを第１のセグメント４８４Ａの一部に取り外し可能に連結するように構成され得る。すなわち、図２９に示されるように、取付け装置４００が翼形部４２の周りに覆われ、および／または翼形部４２に取り外し可能に連結されるとき、フック４８６を第１のセグメント４８４Ａに取り付けることができ、および／または第４のセグメント４８４Ｄを第１のセグメント４８４Ａに取り外し可能に連結することができる。第４のセグメント４８４Ｄを第１のセグメント４８４Ａに取り外し可能に連結することは、本明細書で説明するように、取付け装置４００を翼形部４２に取り外し可能に連結するのを助けることができる。フック４８６を利用するものとして示されているが、第４のセグメント４８４Ｄは、任意の適切な取り外し可能な連結機構および／または技術を使用して、第１のセグメント４８４Ａに取り外し可能に連結され得ることが理解される。例えば、取付け装置４００の第４のセグメント４８４Ｄは、磁石、締め具、結び具などを使用して第１のセグメント４８４Ａに取り外し可能に連結されてもよい。
【００７４】
本明細書で使用される専門用語は、単に特定の実施形態を説明するためのものに過ぎず、本開示を限定するものではない。本明細書で使用する場合、単数形「１つの（ａ）」、「１つの（ａｎ）」、および「この（ｔｈｅ）」は、特に明示しない限り、複数形も含むことが意図される。「備える（ｃｏｍｐｒｉｓｅ）」および／または「備えている（ｃｏｍｐｒｉｓｉｎｇ）」という用語は、本明細書で使用される場合、記載した特徴、整数、ステップ、動作、要素、および／または部品が存在することを明示するが、１つまたは複数の他の特徴、整数、ステップ、動作、要素、部品、および／またはそれらの組が存在することまたは追加することを除外しないことがさらに理解されよう。「任意の」または「任意に」は、後で述べられる事象または状況が、起こる場合も起こらない場合もあることを意味し、この記述は、その事象が起こる事例と、起こらない事例とを含むことを意味する。
【００７５】
本明細書および特許請求の範囲を通してここで使用される、概略を表す言葉（Ａｐｐｒｏｘｉｍａｔｉｎｇ  ｌａｎｇｕａｇｅ）は、関連する基本的機能に変化をもたらすことなく、差し支えない程度に変動できる任意の量的表現を修飾するために適用することができる。したがって、「およそ」、「約」および「実質的に」などの用語で修飾された値は、明記された厳密な値に限定されるものではない。少なくともいくつかの例では、近似する文言は、値を測定するための機器の精度に対応することができる。ここで、ならびに本明細書および特許請求の範囲を通して、範囲の限定は組み合わせおよび／または置き換えが可能であり、文脈および文言が特に指示しない限り、このような範囲は識別され、それに包含されるすべての部分範囲を含む。範囲の特定の値に適用される「約」は、両方の値に適用され、値を測定する機器の精度に特に依存しない限り、記載された値（単数または複数）の＋／−１０％を示し得る。
【００７６】
添付の特許請求の範囲におけるミーンズプラスファンクションまたはステッププラスファンクションの要素すべての、対応する構造、材料、動作および均等物は、具体的に請求された他の請求要素と組み合わせてその機能を遂行するための、一切の構造、材料または動作を包含することが意図されている。本開示の記述は、例示および説明の目的で提示されたもので、網羅的であることも、または本開示を開示した形態に限定することも意図されていない。多くの変更および変形は、本開示の範囲および趣旨から逸脱することなく、当業者には明らかであろう。本開示の原理および実際の応用を最もよく説明し、想定される特定の使用に適するように様々な変更を伴う様々な実施形態の開示を他の当業者が理解できるようにするために、実施形態を選択し説明した。
［実施態様１］
タービンシステム（１０）の第１の翼形部（４２Ａ）と第２の翼形部（４２Ｂ）との間に少なくとも部分的に配置されるように構成された本体部分（１０２，２０２）と、
前記本体部分（１０２，２０２）の第１の側面（１０４，２０４）に形成され、前記タービンシステム（１０）の前記第１の翼形部（４２Ａ）の負圧側面（４６）の一部と接触するように構成された調整可能な第１の保持部品（１０８，２０８）と、
前記本体部分（１０２，２０２）の前記第１の側面（１０４，２０４）に対向する第２の側面（１０６，２０６）に形成され、前記タービンシステム（１０）の前記第２の翼形部（４２Ｂ）の正圧側面（４４）の一部と接触するように構成された第２の保持部品（１２０，２２０）と、
を備える、取付け装置（１００，２００）。
［実施態様２］
前記調整可能な第１の保持部品（１０８）が、前記本体部分（１０２）の前記第１の側面（１０４）に配置された第１の膨張可能なパウチ（１１０）を含み、前記第１の膨張可能なパウチ（１１０）は、
前記第１の膨張可能なパウチ（１１０）の膨張状態で前記第１の翼形部（４２Ａ）の前記負圧側面（４６）の前記部分に接触し、実質的に輪郭を形成し、
前記第１の膨張可能なパウチ（１１０）の収縮状態で前記本体部分（１０２）の前記第１の側面（１０４）と接触し、実質的に平坦に向けられる
ように構成される、実施態様１に記載の取付け装置（１００）。
［実施態様３］
前記第１の膨張可能なパウチ（１１０）上に配置され、前記第１の膨張可能なパウチ（１１０）の前記膨張状態で前記第１の翼形部（４２Ａ）の前記負圧側面（４６）に直接接触する少なくとも１つの把持パッド（１１２）
をさらに備える、実施態様２に記載の取付け装置（１００）。
［実施態様４］
前記少なくとも１つのパッド（１１２）が、前記タービンシステム（１０）の前記第２の翼形部（４２Ｂ）の前記正圧側面（４４）の前記部分と実質的に同様の形状（１２６）を有する、実施態様３に記載の取付け装置（１００）。
［実施態様５］
前記第１の膨張可能なパウチ（１１０）内に配置され、前記タービンシステム（１０）の前記第１の翼形部（４２Ａ）の前記負圧側面（４６）の前記部分と実質的に同様の形状（１３０）を有するインサート（１２８）
をさらに備える、実施態様２に記載の取付け装置（１００）。
［実施態様６］
前記第２の保持部品（１２０）が、前記本体部分（１０２）の前記第２の側面（１０６）と一体に形成された湾曲部分（１２２）を含み、前記湾曲部分（１２２）は、前記第１の膨張可能なパウチ（１１０）の前記膨張状態および前記収縮状態で前記タービンシステム（１０）の前記第２の翼形部（４２Ｂ）の前記正圧側面（４４）の前記部分に接触するように構成される、実施態様２に記載の取付け装置（１００）。
［実施態様７］
前記湾曲部分（１２２）が、前記タービンシステム（１０）の前記第２の翼形部（４２Ｂ）の前記正圧側面（４４）の前記部分と実質的に同様の形状（１２６）を有する、実施態様６に記載の取付け装置（１００）。
［実施態様８］
前記第２の保持部品（１２０）が、前記本体部分（１０２）の前記第２の側面（１０６）に配置された可撓性部品（１３４）を含み、前記可撓性部品（１３４）は、前記第１の膨張可能なパウチ（１１０）の前記膨張状態および前記収縮状態で前記タービンシステム（１０）の前記第２の翼形部（４２Ｂ）の前記正圧側面（４４）の前記部分に接触し、実質的に輪郭を形成するように構成される、実施態様２に記載の取付け装置（１００）。
［実施態様９］
前記第２の保持部品（１２０）が、前記本体部分（１０２）の前記第２の側面（１０６）に配置された第２の膨張可能なパウチ（１３８）を含み、前記第２の膨張可能なパウチ（１３８）は、
前記第２の膨張可能なパウチ（１３８）の膨張状態で前記第２の翼形部（４２Ｂ）の前記正圧側面（４４）の前記部分に接触し、実質的に輪郭を形成し、
前記第２の膨張可能なパウチ（１３８）の収縮状態で前記本体部分（１０２）の前記第２の側面（１０６）と接触し、実質的に平坦に向けられる
ように構成される、実施態様２に記載の取付け装置（１００）。
［実施態様１０］
前記本体部分（２０２）が、
ヒンジ（２４２）を含む第１のリンケージ（２４０）であって、前記第１のリンケージ（２４０）の前記ヒンジ（２４２）は、前記第１のリンケージ（２４０）の拡張状態で前記タービンシステム（１０）の前記第１の翼形部（４２Ａ）の前記負圧側面（４６）に向かって移動するように構成される、第１のリンケージ（２４０）と、
前記第１のヒンジ式リンケージ（２４０）に対向して配置され、ヒンジ（２４２）を含む第２のリンケージ（２４４）と、
を含み、
前記第２のリンケージ（２４４）の前記ヒンジ（２４２）は、前記第２のリンケージ（２４４）の拡張状態で前記タービンシステム（１０）の前記第２の翼形部（４２Ｂ）の前記正圧側面（４４）に向かって移動するように構成される、
実施態様１に記載の取付け装置（２００）。
［実施態様１１］
前記調整可能な第１の保持部品（２０８）が、前記第１のリンケージ（２４０）の前記ヒンジ（２４２）に隣接して配置され、前記第１のリンケージ（２４０）の前記ヒンジ（２４２）から延在する第１のピン（２５８）を含み、前記第１のピン（２５８）は、前記第１のリンケージ（２４０）の前記ヒンジ（２４２）の周りで少なくとも部分的に枢動するように構成される、実施態様１０に記載の取付け装置（２００）。
［実施態様１２］
前記第１のピン（２５８）が、前記第１のリンケージ（２４０）の前記ヒンジ（２４２）に取り外し可能に連結され、前記第１のリンケージ（２４０）の前記拡張状態で前記第１の翼形部（４２Ａ）の前記正圧側面（４４）に接触するように構成される、実施態様１１に記載の取付け装置（２００）。
［実施態様１３］
前記第２の保持部品（２２０）が、前記第２のリンケージ（２４４）の前記ヒンジ（２４２）に隣接して配置され、前記第２のリンケージ（２４４）の前記ヒンジ（２４２）から延在する第２のピン（２６０）を含み、前記第２のピン（２６０）は、前記第２のリンケージ（２４４）の前記ヒンジ（２４２）の周りで少なくとも部分的に枢動するように構成される、実施態様１１に記載の取付け装置（２００）。
［実施態様１４］
前記第２のピン（２６０）が、前記第２のリンケージ（２４４）の前記ヒンジ（２４２）に取り外し可能に連結され、前記第２のリンケージ（２４４）の前記拡張状態で前記第２の翼形部（４２Ｂ）の前記正圧側面（４４）に接触するように構成される、実施態様１３に記載の取付け装置（２００）。
［実施態様１５］
前記調整可能な第１の保持部品（２０８）が、前記第１のリンケージ（２４０）の前記ヒンジ（２４２）に連結され、前記第１のリンケージ（２４０）の前記ヒンジ（２４２）から延在する第１の柔軟な部品（２６４）を含み、前記第１の柔軟な部品（２６４）は、前記第１のリンケージ（２４０）の前記拡張状態で前記タービンシステム（１０）の前記第１の翼形部（４２Ａ）の前記負圧側面（４６）の前記部分に接触し、実質的に輪郭を形成するように構成される、実施態様１０に記載の取付け装置（２００）。
［実施態様１６］
前記第２の保持部品（２２０）が、前記第２のリンケージ（２４４）の前記ヒンジ（２４２）に連結され、前記第２のリンケージ（２４４）の前記ヒンジ（２４２）から延在する第２の柔軟な部品（２６６）を含み、前記第２の柔軟な部品（２６６）は、前記第２のリンケージ（２４４）の前記拡張状態で前記タービンシステム（１０）の前記第２の翼形部（４２Ｂ）の前記正圧側面（４４）の前記部分に接触し、実質的に輪郭を形成するように構成される、実施態様１５に記載の取付け装置（２００）。
［実施態様１７］
正圧側面（４４）および負圧側面（４６）含む第１の翼形部（４２Ａ）と、
前記第１の翼形部（４２Ａ）に隣接して配置され、正圧側面（４４）および負圧側面（４６）を含む第２の翼形部（４２Ｂ）と、
前記第１の翼形部（４２Ａ）および前記第２の翼形部（４２Ｂ）に取り外し可能に連結された取付け装置（１００，２００）と、
を備えるタービンシステム（１０）であって、前記取付け装置（１００，２００）は、
前記第１の翼形部（４２Ａ）と前記第２の翼形部（４２Ｂ）との間に少なくとも部分的に配置されるように構成された本体部分（１０２，２０２）と、
前記本体部分（１０２，２０２）の第１の側面（１０４，２０４）に形成され、前記第１の翼形部（４２Ａ）の前記負圧側面（４６）の一部と接触するように構成された調整可能な第１の保持部品（１０８，２０８）と、
前記本体部分（１０２，２０２）の前記第１の側面（１０４，２０４）に対向する第２の側面（１０６，２０６）に形成され、前記第２の翼形部（４２Ｂ）の前記正圧側面（４４）の一部と接触するように構成された第２の保持部品（１２０，２２０）と
を含む、タービンシステム（１０）。
［実施態様１８］
前記取付け装置（１００）の前記調整可能な第１の保持部品（１０８）が、前記本体部分（１０２）の前記第１の側面（１０４）に配置された第１の膨張可能なパウチ（１１０）を含み、前記第１の膨張可能なパウチ（１１０）は、
前記第１の膨張可能なパウチ（１１０）の膨張状態で前記第１の翼形部（４２Ａ）の前記負圧側面（４６）の前記部分に接触し、実質的に輪郭を形成し、
前記第１の膨張可能なパウチ（１１０）の収縮状態で前記本体部分（１０２）の前記第１の側面（１０４）と接触し、実質的に平坦に向けられる
ように構成される、実施態様１７に記載のタービンシステム（１０）。
［実施態様１９］
前記取付け装置（１００）の前記第２の保持部品（１２０）が、前記本体部分（１０２）の前記第２の側面（１０６）と一体に形成された湾曲部分（１２２）を含み、前記湾曲部分（１２２）は、前記第１の膨張可能なパウチ（１１０）の前記膨張状態および前記収縮状態で前記第２の翼形部（４２Ｂ）の前記正圧側面（４４）の前記部分に接触するように構成される、実施態様１８に記載のタービンシステム（１０）。
［実施態様２０］
前記取付け装置（２００）の前記調整可能な第１の保持部品（２０８）が、前記本体部分（２０２）から延在する第１のピン（２５８）を含み、
前記取付け装置（２００）の前記第２の保持部品（２２０）が、前記第１のピン（２５８）とは反対側に前記本体部分（２０２）から延在する第２のピン（２６０）を含む、
実施態様１７に記載のタービンシステム（１０）。
【符号の説明】
【００７７】
１０  ガスタービンシステム
１２  圧縮機
１８  空気
２０  圧縮された空気
２２  燃焼器
２４  燃料
２６  燃焼ガス
２８  タービン
３０  ロータ
３２  外部負荷
３４  排気フレーム
３６  シェル
３８  タービンブレード
４０  ステータベーン
４２  翼形部
４２Ａ  第１の翼形部
４２Ｂ  第２の翼形部
４４  正圧側面
４６  負圧側面
４８  前縁
５０  後縁
５２  空間
１００  取付け装置
１０２  本体部分
１０４  第１の側面
１０６  第２の側面
１０８  第１の保持部品
１１０  第１の膨張可能なパウチ
１１２  把持パッド
１１８  露出面
１２０  第２の保持部品
１２２  湾曲部分
１２４  表面
１２６  形状
１２８  インサート
１３０  形状
１３２  内部の膨張可能な支持体
１３４  可撓性部品
１３６  接触面
１３８  第２の膨張可能なパウチ
２００  取付け装置
２０２  本体部分
２０４  第１の側面
２０６  第２の側面
２０８  第１の保持部品
２２０  第２の保持部品
２４０  第１のリンケージ
２４２  リンクヒンジ
２４４  第２のリンケージ
２４６  連結ヒンジ
２４８  第１の遠位端
２５０  第１の遠位端
２５２  第２の遠位端
２５４  第２の遠位端
２５６  エクステンダ
２５８  第１のピン
２６０  第２のピン
２６２  プラットフォーム
２６４  第１の柔軟な部品
２６６  第２の柔軟な部品
２６８  剛性支持体
２７０  スライダ
３００  取付け装置
３０２  本体部分
３０４  第１の側面
３０６  第２の側面
３０８  第１の保持部品
３２０  第２の保持部品
３７２  旋回留め具
３７４  接触面
３７６  凹部
３７８  調整可能な留め具
３８０  ねじ山付きねじ
３８２  輪郭部材
３８２Ａ  第１の輪郭部材
３８２Ｂ  第２の輪郭部材
４００  取付け装置
４２８  インサート
４３０  形状
４７６  凹部
４８４  相互接続セグメント
４８４Ａ  第１のセグメント
４８４Ｂ  第２のセグメント
４８４Ｃ  第３のセグメント
４８４Ｄ  第４のセグメント
４８６  フック
Ａ  軸線
【図１】
2018184952.tif 000003
【図２】
2018184952.tif 000004
【図３】
2018184952.tif 000005
【図４】
2018184952.tif 000006
【図５】
2018184952.tif 000007
【図６】
2018184952.tif 000008
【図７】
2018184952.tif 000009
【図８】
2018184952.tif 000010
【図９】
2018184952.tif 000011
【図１０】
2018184952.tif 000012
【図１１】
2018184952.tif 000013
【図１２】
2018184952.tif 000014
【図１３】
2018184952.tif 000015
【図１４】
2018184952.tif 000016
【図１５】
2018184952.tif 000017
【図１６】
2018184952.tif 000018
【図１７】
2018184952.tif 000019
【図１８】
2018184952.tif 000020
【図１９】
2018184952.tif 000021
【図２０】
2018184952.tif 000022
【図２１】
2018184952.tif 000023
【図２２】
2018184952.tif 000024
【図２３】
2018184952.tif 000025
【図２４】
2018184952.tif 000026
【図２５】
2018184952.tif 000027
【図２６】
2018184952.tif 000028
【図２７】
2018184952.tif 000029
【図２８】
2018184952.tif 000030
【図２９】
2018184952.tif 000031
【外国語明細書】
2018184952000001.pdf